(57)【要約】【課題】  表示データに応じた適切な輝度階調で発光素子を発光駆動させることができ、以て、表示画質が良好かつ均質な表示装置を提供する。【解決手段】  表示装置２００は、表示パネル２１０、選択ドライバ２２０、電源ドライバ２３０及びデータドライバ２４０を有し、データドライバ２４０は、しきい値電圧検出期間Ｔdecに、各表示画素ＰＸの発光駆動用トランジスタのしきい値電圧を測定する検出電圧ＡＤＣ１４０と、しきい値電圧を記憶するフレームメモリ１７０と、しきい値電圧に基づくプリチャージ電圧を表示画素ＰＸに印加する補償電圧ＤＡＣ１５０と、表示データに応じた階調信号を表示画素ＰＸに印加する階調信号生成部１３０と、を備え、電源ドライバ２３０は、各表示画素ＰＸを発光動作及び非発光動作させる高電位及び低電位の供給電圧Ｖｓｃを各表示画素ＰＸに供給する構成を有している。【選択図】      図１５
2011123508.tif 000002
【特許請求の範囲】
【請求項１】
行方向に配設された複数の選択線及び列方向に配設された複数のデータ線の各交点近傍に、電流制御型の発光素子と該発光素子に発光駆動電流を供給する発光駆動素子とを備えた複数の表示画素の各々が設けられた表示パネルを備えた表示装置において、
前記表示パネルの前記各選択線に選択信号を印加して、各行の前記各表示画素を選択期間に選択状態に設定する選択駆動部と、
所望の画像情報を表示するための表示データの輝度階調に応じた階調信号を生成し、前記選択状態に設定された行の前記各表示画素に供給するデータ駆動部と、
前記各表示画素に、供給電圧として、前記各表示画素を発光動作させる第１の電圧と、非発光動作させる第２の電圧のいずれかを印加する電源駆動部と、
を備え、
前記データ駆動部は、前記各表示画素の前記発光駆動素子のしきい値電圧に対応するしきい値データを記憶した記憶手段と、前記記憶手段に記憶された前記しきい値データに基づいて、前記各表示画素の前記しきい値電圧を補償する補償電圧を作成して、該補償電圧を、前記選択状態に設定された行の前記各表示画素に、前記階調信号の前記表示画素への供給に先だって印加する補償電圧印加手段と、を有し、
前記電源駆動部は、前記選択状態に設定された行の前記各表示画素に、前記選択期間を含み該選択期間より長い期間中、前記供給電圧として前記第２の電圧を印加して、当該表示画素を非発光動作状態に設定することを特徴とする表示装置。
【請求項２】
前記表示画素の各々に設けられる前記発光駆動素子は、前記発光素子に前記発光駆動電流を流す電流路と、前記発光駆動電流の供給状態を制御する制御端子を備え、
前記データ駆動部は、前記各データ線を介して、前記発光駆動素子の前記制御端子と前記電流路の一端側との間に、前記しきい値検出用の電圧を印加する前記検出用電圧印加手段と、前記検出用電圧印加手段により前記しきい値電圧検出用の電圧が前記発光駆動素子に印加された後、前記電流路に電流が流れなくなったときの前記発光駆動素子の前記制御端子と前記電流路の一端側との間の電位差を、前記しきい値電圧として検出するしきい値電圧検出手段と、を有し、前記記憶手段は、前記しきい値電圧検出手段により検出された前記しきい値電圧に対応する前記しきい値データを、前記各表示画素に対応して記憶することを特徴とする請求項１記載の表示装置。
【請求項３】
前記補償電圧印加手段は、前記発光駆動素子の前記制御端子と前記電流路の一端側との間に、前記記憶手段に記憶された前記しきい値データに基づく前記補償電圧を印加することを特徴とする請求項２記載の表示装置。
【請求項４】
前記しきい値電圧検出手段は、アナログ信号として検出した前記発光駆動素子のしきい値電圧を、デジタル信号に変換して、前記しきい値データを生成する手段を備え、
前記記憶手段は、デジタル信号の前記しきい値データを記憶し、
前記補償電圧印加手段は、前記記憶手段にデジタル信号として記憶された前記しきい値データに基づいて、前記発光駆動素子の前記しきい値電圧を補償するアナログ信号からなる前記補償電圧を生成する手段を備えていることを特徴とする請求項２又は３に記載の表示装置。
【請求項５】
前記データ駆動部は、前記階調信号として、前記発光素子を前記表示データに応じた輝度階調で発光動作させるための電流値を有する階調電流を生成し、前記各データ線を介して、前記階調信号として前記階調電流を前記表示画素の各々に個別に供給して、前記各データ線を介して前記発光駆動素子の電流路に、前記階調電流に対応した書込電流を流す階調信号生成手段を有することを特徴とする請求項２乃至４のいずれかに記載の表示装置。
【請求項６】
前記階調信号生成手段は、前記表示データの輝度階調が最低階調であるとき、前記発光素子を無発光動作させるための所定の電圧値を有する無発光表示電圧を生成して、前記階調信号として前記無発光表示電圧を供給する手段を備えていることを特徴とする請求項５記載の表示装置。
【請求項７】
前記データ駆動部は、
前記表示画素の各々から検出された前記しきい値電圧に対応する前記しきい値データを、個別に取り込み、順次転送するしきい値取得手段と、
前記表示画素の各々に対して、前記階調信号を生成するための輝度階調データを、順次個別に取り込み、保持するデータ取得手段と、
を、さらに備え、
前記記憶手段は、前記しきい値取得手段から転送された前記複数の表示画素ごとの前記しきい値電圧に対応する前記しきい値データを、前記複数の表示画素の各々に対応させて個別に記憶し、
前記階調信号生成手段は、前記データ取得手段に保持された前記複数の表示画素ごとの前記輝度階調データに応じた前記階調信号を生成し、前記複数の表示画素の各々に対して、前記階調信号を供給することを特徴とする請求項５又は６に記載の表示装置。
【請求項８】
前記データ取得手段と前記しきい値取得手段は、前記輝度階調データを順次個別に取り込む構成と、前記しきい値データを個別に取り込み、順次転送する構成とが、共用化されていることを特徴とする請求項７記載の表示装置。
【請求項９】
前記データ駆動部は、少なくとも、前記しきい値電圧検出手段により前記表示画素の前記しきい値電圧を検出する信号経路、前記補償電圧印加手段により当該表示画素に前記補償電圧を印加する信号経路、及び、前記階調信号生成手段により当該表示画素に前記階調信号を供給する信号経路と、当該表示画素に対応して設けられた単一の前記データ線との接続を、選択的に切り換え制御する信号経路切換手段を備えることを特徴とする請求項５乃至８のいずれかに記載の表示装置。
【請求項１０】
前記データ駆動部は、さらに、前記検出用電圧印加手段により前記表示画素に前記しきい値検出用の電圧を印加する信号経路が、前記単一のデータ線に、選択的に接続されるように構成されていることを特徴とする請求項９記載の表示装置。
【請求項１１】
前記電源駆動部は、前記表示パネルに配列された前記複数の表示画素を、複数行ごとの複数のグループに分け、前記各グループの前記各表示画素に対し、該各グループに含まれる前記各表示画素の何れかが前記選択状態に設定されている期間に、当該グループの前記各表示画素に共通に前記第２の電圧を印加して、当該グループに含まれる前記各表示画素を無発光表示状態に設定し、当該グループの前記各表示画素が前記選択期間に設定されていない期間に、当該グループの前記各表示画素に共通に前記第１の電圧を印加して、当該グループに含まれる前記各表示画素を発光動作状態に設定することを特徴とする請求項２乃至１０のいずれかに記載の表示装置。
【請求項１２】
前記表示画素の各々は、前記発光素子の発光動作を制御する発光駆動回路を備え、
前記発光駆動回路は、少なくとも、電流路の一端に前記供給電圧が印加され、該電流路の他端に前記発光素子との接続接点が接続された第１のスイッチ手段と、制御端子が前記選択線に接続され、電流路の一端に前記供給電圧が印加され、該電流路の他端に前記第１のスイッチ手段の制御端子が接続された第２のスイッチ手段と、制御端子が前記選択線に接続され、電流路の一端に前記データ線が接続され、該電流路の他端に前記接続接点が接続された第３のスイッチ手段と、を備え、
前記発光駆動素子は、前記第１のスイッチ手段であり、
前記検出用電圧印加手段は、前記第１のスイッチ手段の前記制御端子と前記接続接点との間に、前記しきい値検出用の電圧を印加し、
前記しきい値電圧検出手段は、前記第１のスイッチ手段の前記制御端子と前記接続接点との間の電位を、前記しきい値電圧として検出し、
前記補償電圧印加手段は、前記第１のスイッチ手段の前記制御端子と前記接続接点との間に、前記補償電圧を印加することを特徴とする請求項２乃至１１のいずれかに記載の表示装置。
【請求項１３】
前記第１乃至第３のスイッチ手段は、アモルファスシリコンからなる半導体層を備えた電界効果型トランジスタであることを特徴とする請求項１２記載の表示装置。
【請求項１４】
前記発光素子は、有機エレクトロルミネッセンス素子であることを特徴とする請求項１乃至１３のいずれかに記載の表示装置。
【発明の詳細な説明】
【技術分野】
【０００１】
本発明は、表示装置に関し、特に、表示データに応じた電流を供給することにより所定の輝度階調で発光する電流駆動型（又は、電流制御型）の発光素子を、複数配列してなる表示パネル（表示画素アレイ）を備えた表示装置に関する。
【背景技術】
【０００２】
近年、パーソナルコンピュータや映像機器のモニタやディスプレイとして、軽量薄型で低消費電力の表示デバイスの普及が著しい。特に、液晶表示装置（ＬＣＤ）は、近年普及が著しい携帯電話やデジタルカメラ、携帯情報端末（ＰＤＡ）、電子辞書等の携帯機器（モバイル機器）の表示デバイスとして広く適用されている。
【０００３】
このような液晶表示装置に続く次世代の表示デバイスとして、有機エレクトロルミネッセンス素子（有機ＥＬ素子）や無機エレクトロルミネッセンス素子（無機ＥＬ素子）、あるいは、発光ダイオード（ＬＥＤ）等のような発光素子（自己発光型の光学要素）を、マトリクス状に配列した表示パネルを備えた発光素子型の表示デバイス（発光素子型ディスプレイ）の本格的な普及に向けた研究開発が盛んに行われている。
【０００４】
特に、アクティブマトリックス駆動方式を適用した発光素子型ディスプレイは、上述した液晶表示装置に比較して、表示応答速度が速く、また、視野角依存性もなく、高輝度・高コントラスト化、表示画質の高精細化等が可能であるとともに、液晶表示装置のようにバックライトを必要としないので、一層の薄型軽量化や低消費電力化が可能である、という携帯機器への適用に極めて優位な特徴を有している。
【０００５】
そして、このような発光素子型ディスプレイにおいては、発光素子の動作（発光状態）を制御するための駆動制御機構や制御方法が種々提案されている。例えば、特許文献１等には、表示パネルを構成する各表示画素ごとに、上記発光素子に加えて、該発光素子を発光駆動制御するための複数のスイッチング素子からなる駆動回路（発光駆動回路）を備えた構成が記載されている。
【０００６】
図２７は、従来技術における電圧制御アクティブマトリクス発光素子型ディスプレイの要部を示す概略構成図であり、図２８は、従来技術における発光素子型ディスプレイに適用可能な表示画素（発光駆動回路及び発光素子）の構成例を示す等価回路図である。ここで、図２８においては、発光素子として、有機ＥＬ素子を備えた表示画素の回路構成を示す。
【０００７】
特許文献１等に記載されたアクティブマトリクス型有機ＥＬ表示装置は、概略、図２７に示すように、行、列方向に配設された複数の走査ライン（選択ライン；Ｙ方向信号線）ＳＬｐ及びデータライン（信号ライン；Ｘ方向信号線）ＤＬｐの各交点近傍に、複数の表示画素ＥＭｐがマトリクス状に配置された表示パネル１１０Ｐと、各走査ラインＳＬｐに接続された走査ドライバ（Ｙ方向周辺駆動回路）１２０Ｐと、各データラインＤＬに接続されたデータドライバ（Ｘ方向周辺駆動回路）１３０Ｐと、を備えた構成を有している。
【０００８】
また、各表示画素ＥＭｐは、図２８に示すように、ゲート端子が走査ラインＳＬｐに、ソース端子及びドレイン端子がデータラインＤＬ及び接点Ｎ１１１に各々接続された薄膜トランジスタ（ＴＦＴ）Ｔｒ１１１と、ゲート端子が接点Ｎ１１１に接続され、ソース端子に所定の電源電圧Ｖddが印加された薄膜トランジスタＴｒ１１２と、を備えた発光駆動回路ＤＣｐ、及び、該発光駆動回路ＤＣｐの薄膜トランジスタＴｒ１１２のドレイン端子にアノード端子が接続され、カソード端子に電源電圧Ｖddよりも低電位となる接地電位Ｖgndが印加された有機ＥＬ素子（電流制御型の発光素子）ＯＥＬを有して構成されている。ここで、図２８において、Ｃｐは、薄膜トランジスタＴｒ１１２のゲート−ソース間に形成されるコンデンサである。
【０００９】
そして、このような構成を有する表示画素ＥＭｐからなる表示パネル１１０Ｐを備えた表示装置においては、まず、走査ドライバ１２０Ｐから各行の走査ラインＳＬｐにオンレベルの走査信号電圧Ｓselを順次印加することにより、行ごとの表示画素ＥＭｐ（発光駆動回路ＤＣｐ）の薄膜トランジスタＴｒ１１１がオン動作して、当該表示画素ＥＭｐが選択状態に設定される。
【００１０】
この選択タイミングに同期して、データドライバ１３０Ｐにより表示データに応じた階調電圧Ｖpixを各列のデータラインＤＬｐに印加することにより、各表示画素ＥＭｐ（発光駆動回路ＤＣｐ）の薄膜トランジスタＴｒ１１１を介して、階調電圧Ｖpixに応じた電位が接点Ｎ１１１（すなわち、薄膜トランジスタＴｒ１１２のゲート端子）に印加される。
【００１１】
これにより、薄膜トランジスタＴｒ１１２が接点Ｎ１１１の電位（厳密には、ゲート−ソース間の電位差）に応じた導通状態（すなわち、階調電圧Ｖpixに応じた導通状態）でオン動作して、電源電圧Ｖddから薄膜トランジスタＴｒ１１２及び有機ＥＬ素子ＯＥＬを介して接地電位Ｖgndに、所定の発光駆動電流が流れ、有機ＥＬ素子ＯＥＬが表示データ（階調電圧Ｖpix）に応じた輝度階調で発光動作する。
【００１２】
次いで、走査ドライバ１２０Ｐから走査ラインＳＬｐにオフレベルの走査信号電圧Ｓselを印加することにより、行ごとの表示画素ＥＭｐの薄膜トランジスタＴｒ１１１がオフ動作して、当該表示画素ＥＭｐが非選択状態に設定され、データラインＤＬｐと発光駆動回路ＤＣｐとが電気的に遮断される。このとき、薄膜トランジスタＴｒ１１２のゲート端子（接点Ｎ１１１）に印加された電位がコンデンサＣｐに保持されることにより、当該薄膜トランジスタＴｒ１１２のゲート−ソース間に所定の電圧が印加されて、薄膜トランジスタＴｒ１１２はオン状態を持続する。
【００１３】
したがって、上記選択状態における発光動作と同様に、電源電圧Ｖddから薄膜トランジスタＴｒ１１２を介して、有機ＥＬ素子ＯＥＬに所定の発光駆動電流が流れて、発光動作が継続される。この発光動作は、次の表示データに応じた階調電圧Ｖpixが各行の表示画素ＥＭｐに印加される（書き込まれる）まで、例えば、１フレーム期間継続するように制御される。
【００１４】
このような駆動制御方法は、各表示画素ＥＭｐ（具体的には、発光駆動回路ＤＣｐの薄膜トランジスタＴｒ１１２のゲート端子）に印加する階調電圧Ｖpixの電圧値を調整することにより、有機ＥＬ素子ＯＥＬに流す発光駆動電流の電流値を制御して、所定の輝度階調で発光動作させていることから、電圧階調指定方式（又は、電圧階調指定駆動）と呼ばれている。
【先行技術文献】
【特許文献】
【００１５】
【特許文献１】特開平８−３３０６００号公報  （第３頁、図４）
【発明の概要】
【発明が解決しようとする課題】
【００１６】
しかしながら、上述したような電圧階調指定方式に対応した発光駆動回路を、各表示画素に備えた表示装置においては、以下に示すような問題を有していた。
すなわち、図２８に示したような発光駆動回路ＤＣｐにおいては、有機ＥＬ素子ＯＥＬに電流路が直列に接続され、表示データ（階調電圧）に応じた発光駆動電流を流す、発光駆動用の薄膜トランジスタＴｒ１１２の素子特性（特に、しきい値電圧特性）が、使用時間や駆動履歴等に依存して変化（シフト）した場合には、ゲート電圧（接点１１１の電位）とソース−ドレイン間に流れる発光駆動電流（ソース−ドレイン間電流）との関係が変化して、所定のゲート電圧で流れる発光駆動電流の電流値が変動（例えば、低減）することになるため、表示データに応じた適切な輝度階調での発光動作を、長期にわたり安定的に実現することが困難になるという問題を有していた。
【００１７】
また、表示パネル１１０Ｐ内の薄膜トランジスタＴｒ１１１及びＴｒ１１２の素子特性（しきい値電圧）が表示画素ＥＭｐ（発光駆動回路ＤＣｐ）ごとにバラツキが生じてしまった場合や、製造ロットによって表示パネル１１０ＰごとにトランジスタＴｒ１１１及びＴｒ１１２の素子特性にバラツキが生じてしまった場合には、上述したような電圧階調指定方式の発光駆動回路では、各表示画素ごと、あるいは、各表示パネルごとに発光駆動電流の電流値のバラツキが大きくなって、適正な階調制御が行えなくなり、均質な表示画質を有する表示装置を提供することができなくなるという問題を有していた。
【００１８】
そこで、本発明は、上述した問題点に鑑み、表示データに対応した適切な電流値を有する発光駆動電流を供給することにより、表示データに応じた適切な輝度階調で発光素子を発光駆動させることができ、以て、表示画質が良好かつ均質な表示装置を提供することを目的とする。
【課題を解決するための手段】
【００１９】
請求項１記載の発明は、行方向に配設された複数の選択線及び列方向に配設された複数のデータ線の各交点近傍に、電流制御型の発光素子と該発光素子に発光駆動電流を供給する発光駆動素子とを備えた複数の表示画素の各々が設けられた表示パネルを備えた表示装置において、前記表示パネルの前記各選択線に選択信号を印加して、各行の前記各表示画素を選択期間に選択状態に設定する選択駆動部と、所望の画像情報を表示するための表示データの輝度階調に応じた階調信号を生成し、前記選択状態に設定された行の前記各表示画素に供給するデータ駆動部と、前記各表示画素に、供給電圧として、前記各表示画素を発光動作させる第１の電圧と、非発光動作させる第２の電圧のいずれかを印加する電源駆動部と、を備え、前記データ駆動部は、前記各表示画素の前記発光駆動素子のしきい値電圧に対応するしきい値データを記憶した記憶手段と、前記記憶手段に記憶された前記しきい値データに基づいて、前記各表示画素の前記しきい値電圧を補償する補償電圧を作成して、該補償電圧を、前記選択状態に設定された行の前記各表示画素に、前記階調信号の前記表示画素への供給に先だって印加する補償電圧印加手段と、を有し、前記電源駆動部は、前記選択状態に設定された行の前記各表示画素に、前記選択期間を含み該選択期間より長い期間中、前記供給電圧として前記第２の電圧を印加して、当該表示画素を非発光動作状態に設定することを特徴とする。
【００２０】
請求項２記載の発明は、請求項１記載の表示装置において、前記表示画素の各々に設けられる前記発光駆動素子は、前記発光素子に前記発光駆動電流を流す電流路と、前記発光駆動電流の供給状態を制御する制御端子を備え、前記データ駆動部は、前記各データ線を介して、前記発光駆動素子の前記制御端子と前記電流路の一端側との間に、前記しきい値検出用の電圧を印加する前記検出用電圧印加手段と、前記検出用電圧印加手段により前記しきい値電圧検出用の電圧が前記発光駆動素子に印加された後、前記電流路に電流が流れなくなったときの前記発光駆動素子の前記制御端子と前記電流路の一端側との間の電位差を、前記しきい値電圧として検出するしきい値電圧検出手段と、を有し、前記記憶手段は、前記しきい値電圧検出手段により検出された前記しきい値電圧に対応する前記しきい値データを、前記各表示画素に対応して記憶することを特徴とする。
【００２１】
請求項３記載の発明は、請求項２記載の表示装置において、前記補償電圧印加手段は、前記発光駆動素子の前記制御端子と前記電流路の一端側との間に、前記記憶手段に記憶された前記しきい値データに基づく前記補償電圧を印加することを特徴とする。
【００２２】
請求項４記載の発明は、請求項２又は３に記載の表示装置において、前記しきい値電圧検出手段は、アナログ信号として検出した前記発光駆動素子のしきい値電圧を、デジタル信号に変換して、前記しきい値データを生成する手段を備え、前記記憶手段は、デジタル信号の前記しきい値データを記憶し、前記補償電圧印加手段は、前記記憶手段にデジタル信号として記憶された前記しきい値データに基づいて、前記発光駆動素子の前記しきい値電圧を補償するアナログ信号からなる前記補償電圧を生成する手段を備えていることを特徴とする。
【００２３】
請求項５記載の発明は、請求項２乃至４のいずれかに記載の表示装置において、前記データ駆動部は、前記階調信号として、前記発光素子を前記表示データに応じた輝度階調で発光動作させるための電流値を有する階調電流を生成し、前記各データ線を介して、前記階調信号として前記階調電流を前記表示画素の各々に個別に供給して、前記各データ線を介して前記発光駆動素子の電流路に、前記階調電流に対応した書込電流を流す階調信号生成手段を有することを特徴とする。
請求項６記載の発明は、請求項５記載の表示装置において、前記階調信号生成手段は、前記表示データの輝度階調が最低階調であるとき、前記発光素子を無発光動作させるための所定の電圧値を有する無発光表示電圧を生成して、前記階調信号として前記無発光表示電圧を供給する手段を備えていることを特徴とする。
【００２４】
請求項７記載の発明は、請求項５又は６に記載の表示装置において、前記データ駆動部は、前記表示画素の各々から検出された前記しきい値電圧に対応する前記しきい値データを、個別に取り込み、順次転送するしきい値取得手段と、前記表示画素の各々に対して、前記階調信号を生成するための輝度階調データを、順次個別に取り込み、保持するデータ取得手段と、を、さらに備え、前記記憶手段は、前記しきい値取得手段から転送された前記複数の表示画素ごとの前記しきい値電圧に対応する前記しきい値データを、前記複数の表示画素の各々に対応させて個別に記憶し、前記階調信号生成手段は、前記データ取得手段に保持された前記複数の表示画素ごとの前記輝度階調データに応じた前記階調信号を生成し、前記複数の表示画素の各々に対して、前記階調信号を供給することを特徴とする。
【００２５】
請求項８記載の発明は、請求項７記載の表示装置において、前記データ取得手段と前記しきい値取得手段は、前記輝度階調データを順次個別に取り込む構成と、前記しきい値データを個別に取り込み、順次転送する構成とが、共用化されていることを特徴とする。
【００２６】
請求項９記載の発明は、請求項５乃至８のいずれかに記載の表示装置において、前記データ駆動部は、少なくとも、前記しきい値電圧検出手段により前記表示画素の前記しきい値電圧を検出する信号経路、前記補償電圧印加手段により当該表示画素に前記補償電圧を印加する信号経路、及び、前記階調信号生成手段により当該表示画素に前記階調信号を供給する信号経路と、当該表示画素に対応して設けられた単一の前記データ線との接続を、選択的に切り換え制御する信号経路切換手段を備えることを特徴とする。
【００２７】
請求項１０記載の発明は、請求項９記載の表示装置において、前記データ駆動部は、さらに、前記検出用電圧印加手段により前記表示画素に前記しきい値検出用の電圧を印加する信号経路が、前記単一のデータ線に、選択的に接続されるように構成されていることを特徴とする。
【００２８】
請求項１１記載の発明は、請求項２乃至１０のいずれかに記載の表示装置において、前記表示パネルに配列された前記複数の表示画素を、複数行ごとの複数のグループに分け、前記各グループの前記各表示画素に対し、該各グループに含まれる前記各表示画素の何れかが前記選択状態に設定されている期間に、当該グループの前記各表示画素に共通に前記第２の電圧を印加して、当該グループに含まれる前記各表示画素を無発光表示状態に設定し、当該グループの前記各表示画素が前記選択期間に設定されていない期間に、当該グループの前記各表示画素に共通に前記第１の電圧を印加して、当該グループに含まれる前記各表示画素を発光動作状態に設定することを特徴とする。
【００２９】
請求項１２記載の発明は、請求項２乃至１１のいずれかに記載の表示装置において、前記表示画素の各々は、前記発光素子の発光動作を制御する発光駆動回路を備え、前記発光駆動回路は、少なくとも、電流路の一端に前記供給電圧が印加され、該電流路の他端に前記発光素子との接続接点が接続された第１のスイッチ手段と、制御端子が前記選択線に接続され、電流路の一端に前記供給電圧が印加され、該電流路の他端に前記第１のスイッチ手段の制御端子が接続された第２のスイッチ手段と、制御端子が前記選択線に接続され、電流路の一端に前記データ線が接続され、該電流路の他端に前記接続接点が接続された第３のスイッチ手段と、を備え、前記発光駆動素子は、前記第１のスイッチ手段であり、前記検出用電圧印加手段は、前記第１のスイッチ手段の前記制御端子と前記接続接点との間に、前記しきい値検出用の電圧を印加し、前記しきい値電圧検出手段は、前記第１のスイッチ手段の前記制御端子と前記接続接点との間の電位を、前記しきい値電圧として検出し、前記補償電圧印加手段は、前記第１のスイッチ手段の前記制御端子と前記接続接点との間に、前記補償電圧を印加することを特徴とする。
【００３０】
請求項１３記載の発明は、請求項１２記載の表示装置において、前記第１乃至第３のスイッチ手段は、アモルファスシリコンからなる半導体層を備えた電界効果型トランジスタであることを特徴とする。
請求項１４記載の発明は、請求項１乃至１３のいずれかに記載の表示装置において、前記発光素子は、有機エレクトロルミネッセンス素子であることを特徴とする。
【発明の効果】
【００３１】
本発明に係る表示装置によれば、各表示画素の発光駆動用のスイッチング素子（発光駆動素子）のしきい値電圧に対応するしきい値データがフレームメモリ（記憶手段）に記憶されていて、各表示画素への表示データの書込動作の直前に、フレームメモリに記憶されたスイッチング素子のしきい値電圧（しきい値データ）に基づいて、各表示画素ごとのスイッチング素子に固有のしきい値電圧相当の電圧成分を保持させて、各しきい値電圧を補償した状態に設定することができるので、スイッチング素子（薄膜トランジスタ）のしきい値電圧が、経時変化や駆動履歴等に起因して変化（Ｖthシフト）した場合であっても、その影響を抑制して、当該スイッチング素子に階調信号に応じた適切な電圧成分を保持させることができ、発光素子を適正な輝度階調で発光動作させることができる。
【００３２】
また、階調信号の書込動作において、各表示画素に設けられた上記スイッチング素子に固有のしきい値電圧に相当する電圧成分（電荷）がすでに保持されているので、階調信号に応じた電圧成分のみを上乗せして充電すればよく、当該階調信号に基づく電圧成分を迅速に書き込むことができ、書込不足の発生を抑制することができる。
更に、各表示画素に、供給電圧として、各表示画素を発光動作させる第１の電圧と、非発光動作させる第２の電圧のいずれかを印加する電源駆動部を備えて、選択状態に設定された行の各表示画素に、選択期間を含み該選択期間より長い期間中、供給電圧として第２の電圧を印加して、当該表示画素を非発光動作状態に設定する構成を備えていることにより、動画像を表示するに際し、表示期間中に黒表示期間が挿入されるため、動画像を連続して表示させる場合に比べて動画像の表示画質を向上させることができる。
【図面の簡単な説明】
【００３３】
【図１】本発明に係る表示駆動装置、及び、該表示駆動装置により駆動制御される表示画素の一実施形態を示す要部構成図である。
【図２】本実施形態に係る表示駆動装置におけるしきい値電圧検出動作を示すタイミングチャートである。
【図３】本実施形態に係る表示駆動装置における電圧印加動作を示す概念図である。
【図４】本実施形態に係る表示駆動装置における電圧収束動作を示す概念図である。
【図５】本実施形態に係る表示駆動装置における電圧読取動作を示す概念図である。
【図６】ｎチャネル型の薄膜トランジスタにおいて、ゲート−ソース間電圧を所定の条件に設定し、ドレイン−ソース間電圧を変調した際のドレイン−ソース間電流特性の一例を表した図である。
【図７】本実施形態に係る表示駆動装置における駆動制御方法（階調表示動作）を示すタイミングチャートである。
【図８】本実施形態に係る表示駆動装置におけるプリチャージ動作を示す概念図である。
【図９】本実施形態に係る表示駆動装置におけるデータ書込動作を示す概念図である。
【図１０】本実施形態に係る表示駆動装置における発光動作を示す概念図である。
【図１１】本実施形態に係る表示駆動装置の他の構成例を示す要部構成図である。
【図１２】本実施形態に係る表示駆動装置における駆動制御方法（無発光表示動作）を示すタイミングチャートである。
【図１３】本実施形態に係る表示駆動装置におけるデータ書込動作の他の例を示す概念図である。
【図１４】本実施形態に係る表示駆動装置における無発光動作を示す概念図である。
【図１５】本発明に係る表示装置の全体構成の一例を示す概略ブロック図である。
【図１６】本実施形態に係る表示装置に適用される表示パネル及びその周辺回路（選択ドライバ、電源ドライバ）の一例を示す概略構成図である。
【図１７】本実施形態に係る表示装置の駆動制御方法の第１の例を模式的に示したタイミングチャ−トである。
【図１８】本実施形態に係る表示装置の駆動制御方法の第２の例を模式的に示したタイミングチャ−トである。
【図１９】本実施形態に係る表示装置の駆動制御方法の第２の例を実現するための表示装置の一例を示す要部構成図である。
【図２０】本実施形態に係る表示装置の駆動制御方法の第３の例を模式的に示したタイミングチャ−トである。
【図２１】本実施形態に係る表示装置の駆動制御方法の第２の例の変形例（その１）を模式的に示したタイミングチャ−トである。
【図２２】本実施形態に係る表示装置の駆動制御方法の第３の例の変形例（その１）を模式的に示したタイミングチャ−トである。
【図２３】本実施形態に係る表示装置の駆動制御方法の第２の例の変形例（その２）を模式的に示したタイミングチャ−トである。
【図２４】本実施形態に係る表示装置の駆動制御方法の第３の例の変形例（その２）を模式的に示したタイミングチャ−トである。
【図２５】本実施形態に係る表示装置の駆動制御方法の第４の例を模式的に示したタイミングチャ−トである。
【図２６】本実施形態に係る表示装置の駆動制御方法の第４の例を実現するための表示装置の一例を示す要部構成図である。
【図２７】従来技術における電圧制御アクティブマトリクス発光素子型ディスプレイの要部を示す概略構成図である。
【図２８】従来技術における発光素子型ディスプレイに適用可能な表示画素（発光駆動回路及び発光素子）の構成例を示す等価回路図である。
【発明を実施するための形態】
【００３４】
以下、本発明に係る表示駆動装置及びその駆動制御方法、並びに、表示装置及びその駆動制御方法について、実施の形態を示して詳しく説明する。
まず、本発明に係る表示装置に適用される表示駆動装置及びその駆動制御方法について、図面を参照して説明する。
【００３５】
図１は、本発明に係る表示駆動装置、及び、該表示駆動装置により駆動制御される表示画素の一実施形態を示す要部構成図である。ここでは、表示装置の表示パネルに配置される特定の表示画素と、当該表示画素を発光駆動制御する表示駆動装置との関係について説明する。
【００３６】
＜表示駆動装置＞
図１に示すように、本実施形態に係る表示駆動装置１００は、概略、シフトレジスタ・データレジスタ部１１０と、表示データラッチ部１２０と、階調信号生成部１３０と、しきい値検出電圧アナログ−デジタル変換器（以下、「検出電圧ＡＤＣ」と略記し、図中では、「ＶthＡＤＣ」と表記する）１４０と、しきい値補償電圧デジタル−アナログ変換器（以下、「補償電圧ＤＡＣ」と略記し、図中では、「ＶthＤＡＣ」と表記する）１５０と、しきい値データラッチ部（図中では、「Ｖthデータラッチ部」と表記する）１６０と、フレームメモリ１７０と、データライン入出力切換部１８０と、を備えた構成を有している。
【００３７】
シフトレジスタ・データレジスタ部（データ取得手段、しきい値取得手段）１１０は、図示を省略した、シフト信号を順次出力するシフトレジスタと、該シフト信号に基づいて、少なくとも外部から供給されるデジタル信号からなる輝度階調データを順次取り込むデータレジスタと、を備えた構成を有している。より具体的には、外部から順次供給される、表示パネルの１行分の表示画素ＰＸの表示データ（輝度階調データ）を順次取り込み、後述する表示データラッチ部１２０に転送する動作、又は、検出電圧ＡＤＣ１４０によりデジタル信号に変換され、しきい値データラッチ部１６０に保持された１行分の表示画素ＰＸのしきい値電圧（しきい値検出データ）を順次取り込み、後述するフレームメモリ１７０に転送する動作、もしくは、フレームメモリ１７０から特定の１行分の表示画素ＰＸのしきい値補償データを順次取り込み、しきい値データラッチ部１６０に転送する動作のいずれかを選択的に実行する。なお、これらの各動作については、詳しく後述する。
【００３８】
表示データラッチ部１２０は、上記シフトレジスタ・データレジスタ部１１０により外部から取り込まれ、転送された１行分の表示画素ＰＸの表示データ（輝度階調データ）を保持する。
階調信号生成部（階調信号生成手段）１３０は、有機ＥＬ素子（電流制御型の発光素子）ＯＥＬを表示データに対応した輝度階調で発光動作、又は、無発光動作させるための階調信号として、有機ＥＬ素子ＯＥＬを所定の輝度階調で発光動作させるための、所定の電流値を有する階調電流Ｉdata、又は、有機ＥＬ素子ＯＥＬを発光動作させずに黒表示（最低輝度階調）状態に設定するための、所定の電圧値を有する無発光表示電圧Ｖzeroのいずれかを選択的に供給する機能を備えている。
【００３９】
ここで、階調信号として表示データに応じた電流値を有する階調電流を供給する構成としては、例えば、図示を省略した電源供給手段から供給される階調基準電圧に基づいて、上記表示データラッチ部１２０に保持された各表示データのデジタル信号電圧を、アナログ信号電圧に変換するデジタル−アナログ変換器（Ｄ／Ａコンバータ）と、当該アナログ信号電圧に対応する電流値を有する階調電流Ｉdataを生成する電圧−電流変換器と、を備えた構成を適用することができる。
【００４０】
なお、以下の説明においては、階調信号として、所定の電流値を有する階調電流を各表示画素に供給して階調表示を行う場合について説明するが、本発明はこれに限定されるものではなく、階調信号として、上記表示データに応じた電圧値を有する階調電圧を印加するものであってもよく、この場合には、例えば、上記デジタル−アナログ変換器のみを備えた構成を適用することができる。
【００４１】
検出電圧ＡＤＣ（しきい値電圧検出手段）１４０は、後述する各表示画素ＰＸに設けられた発光素子（例えば、有機ＥＬ素子ＯＥＬ）に発光駆動電流を供給するスイッチング素子（薄膜トランジスタＴｒ１３）のしきい値電圧（又は、当該しきい値電圧に対応する電圧成分）をアナログ信号電圧として取り込み（測定し）、デジタル信号電圧からなるしきい値検出データに変換する。
【００４２】
補償電圧ＤＡＣ（補償電圧印加手段、検出用電圧印加手段）１５０は、各表示画素ＰＸに設けられた上記スイッチング素子のしきい値電圧を補償するためのデジタル信号電圧からなるしきい値補償データを、アナログ信号電圧からなるプリチャージ電圧（しきい値補償電圧）に変換する。また、後述する駆動制御方法に示すように、上記検出電圧ＡＤＣ１４０によりスイッチング素子のしきい値電圧を測定する動作（しきい値電圧検出動作）において、スイッチング素子を構成する薄膜トランジスタのゲート−ソース間（コンデンサＣｓの両端）に、当該スイッチング素子のしきい値電圧よりも高い電位差が設定（電圧成分が保持）されるように、所定の検出用電圧を出力することができるように構成されている。
【００４３】
また、しきい値データラッチ部１６０は、１行分の各表示画素ＰＸごとに、上記検出電圧ＡＤＣ１４０により変換、生成されたしきい値検出データを取り込んで保持し、当該しきい値検出データをシフトレジスタ・データレジスタ部１１０を介して、後述するフレームメモリ１７０に順次転送する動作、又は、フレームメモリ１７０から上記しきい値検出データに応じた１行分の各表示画素ＰＸごとのしきい値補償データを順次取り込んで保持し、当該しきい値補償データを補償電圧ＤＡＣ１５０に転送する動作のいずれかを選択的に実行する。
【００４４】
また、フレームメモリ（記憶手段）１７０は、表示パネルに配列された各表示画素ＰＸへの表示データ（輝度階調データ）の書込動作に先立って、上記検出電圧ＡＤＣ１４０及びしきい値データラッチ部１６０により１行分の各表示画素ＰＸごとに検出されたしきい値電圧に基づくしきい値検出データを、シフトレジスタ・データレジスタ部１１０を介して順次取り込み、表示パネル１画面（１フレーム）分の各表示画素ＰＸごとに個別に記憶するとともに、当該しきい値検出データをしきい値補償データとして、もしくは、当該しきい値検出データに応じたしきい値補償データを、シフトレジスタ・データレジスタ部１１０を介して順次出力し、しきい値データラッチ部１６０（補償電圧ＤＡＣ１５０）へ転送する。
【００４５】
また、データライン入出力切換部（信号経路切換手段）１８０は、表示パネルの列方向に配設されるデータラインＤＬを介して各表示画素ＰＸに設けられた上記スイッチング素子（薄膜トランジスタ）のしきい値電圧を、検出電圧ＡＤＣ１４０に取り込み、測定するための電圧検出側スイッチ１８１と、少なくとも、各表示画素ＰＸに設けられた上記スイッチング素子のしきい値電圧を補償するためのプリチャージ電圧、又は、各表示画素ＰＸを表示データに応じた輝度階調で発光動作させるための階調信号（階調電流、又は、無発光表示電圧）のいずれかをデータラインＤＬに供給するモードを選択するための入力選択スイッチ１８２と、当該入力信号選択スイッチ１８２により選択されたプリチャージ電圧、又は、階調信号をデータラインＤＬを介して各表示画素ＰＸに供給するための書込側スイッチ１８３と、を備えた構成を有している。
【００４６】
ここで、電圧検出側スイッチ１８１及び書込側スイッチ１８３は、例えばチャネル極性が異なる薄膜トランジスタ（電界効果型トランジスタ）により構成することができ、図１に示すように、電圧検出側スイッチ１８１としてｐチャネル型の薄膜トランジスタを適用し、また、書込側スイッチ１８３としてｎチャネル型の薄膜トランジスタを適用することができる。これらの薄膜トランジスタのゲート端子（制御端子）は同一の信号線に接続され、当該信号線に印加される切換制御信号ＡＺの信号レベルに基づいて、各々オン、オフ状態が制御される。
【００４７】
＜表示画素＞
また、本実施形態に係る表示画素ＰＸは、図１に示すように、表示パネルの行方向（図面左右方向）に配設された選択ラインＳＬと列方向（図面上下方向）に配設されたデータラインＤＬとの各交点近傍に配置され、各々、電流制御型の発光素子である有機ＥＬ素子ＯＥＬと、当該有機ＥＬ素子ＯＥＬに表示データに応じた電流値を有する発光駆動電流を供給するための発光駆動回路ＤＣと、を備えた構成を有している。
【００４８】
発光駆動回路ＤＣは、例えば、ゲート端子（制御端子）が選択ラインＳＬに、ドレイン端子及びソース端子（電流路の一端、他端）が所定の供給電圧Ｖscが印加される供給電圧ラインＶＬ及び接点Ｎ１１に各々接続された薄膜トランジスタ（第２のスイッチ手段）Ｔｒ１１と、ゲート端子（制御端子）が選択ラインＳＬに、ソース端子及びドレイン端子（電流路の一端、他端）がデータラインＤＬ及び接点Ｎ１２に各々接続された薄膜トランジスタ（第３のスイッチ手段）Ｔｒ１２と、ゲート端子（制御端子）が接点Ｎ１１に、ドレイン端子及びソース端子（電流路の一端、他端）が供給電圧ラインＶＬ及び接点（接続接点）Ｎ１２に各々接続された薄膜トランジスタ（発光駆動素子、第１のスイッチ手段）Ｔｒ１３と、接点Ｎ１１及び接点Ｎ１２間（薄膜トランジスタＴｒ１３のゲート−ソース端子間）に接続されたコンデンサＣｓと、を備えた構成を有している。ここで、薄膜トランジスタＴｒ１３は、上述した表示駆動装置１００において、上記検出電圧ＡＤＣ１４０及びしきい値データラッチ部１６０によりしきい値電圧が測定される対象となる発光駆動用のスイッチング素子に相当する。
【００４９】
また、有機ＥＬ素子ＯＥＬは、アノード端子が上記発光駆動回路ＤＣの接点Ｎ１２に接続され、カソード端子には共通電圧Ｖcomが印加されている。ここで、共通電圧Ｖcomは、後述する表示駆動動作において、表示データに応じた階調信号（階調電流、又は、無発光表示電圧）が発光駆動回路ＤＣに供給される書込動作期間においては、低電位（Ｖｓ）に設定される供給電圧Ｖscと等電位であるか、あるいは、当該供給電圧Ｖscよりも高い電位であって、かつ、有機ＥＬ素子（発光素子）ＯＥＬに発光駆動電流が供給されて所定の輝度階調で発光動作する発光動作期間においては、高電位（Ｖｅ）に設定される供給電圧Ｖscよりも低電位となる、任意の電位（例えば、接地電位ＧＮＤ）に設定されている（Ｖｓ≦Ｖcom＜Ｖｅ）。
【００５０】
ここで、コンデンサＣｓは、薄膜トランジスタＴｒ１３のゲート−ソース間に形成される寄生容量であってもよいし、該寄生容量に加えて接点Ｎ１１及び接点Ｎ１２間にさらに容量素子を並列に接続したものであってもよい。また、薄膜トランジスタＴｒ１１〜Ｔｒ１３については、特に限定するものではないが、薄膜トランジスタＴｒ１１〜Ｔｒ１３を全てｎチャネル型の薄膜トランジスタにより構成することにより、ｎチャネル型のアモルファスシリコン薄膜トランジスタを良好に適用することができる。この場合、すでに確立されたアモルファスシリコン製造技術を適用して、素子特性（電子移動度等）の安定したアモルファスシリコン薄膜トランジスタからなる発光駆動回路を比較的簡易な製造プロセスで製造することができる。以下の説明においては、薄膜トランジスタＴｒ１１〜Ｔｒ１３を全てｎチャネル型の薄膜トランジスタにより構成した場合について説明する。また、発光駆動回路ＤＣにより発光駆動される発光素子は、有機ＥＬ素子ＯＥＬに限定されるものではなく、電流制御型の発光素子であれば、発光ダイオード等の他の発光素子であってもよい。
【００５１】
＜表示駆動装置・表示画素の駆動制御方法＞
次いで、上述したような構成を有する表示駆動装置において、表示画素の発光素子を発光動作させて階調表示を行う場合の駆動制御方法（駆動制御動作）について、図面を参照して説明する。
【００５２】
本実施形態に係る表示駆動装置１００における駆動制御動作は、大別して、後述する表示駆動動作（プリチャージ動作、書込動作、発光動作）に先立つ任意のタイミングで、表示パネルに配列された各表示画素ＰＸ（発光駆動回路ＤＣ）に設けられた発光駆動用の薄膜トランジスタＴｒ１３（スイッチング素子；発光駆動素子）のしきい値電圧を測定して記憶するしきい値電圧検出動作（しきい値電圧検出期間；第１のステップ）と、当該しきい値電圧検出動作の終了後、各表示画素ＰＸに設けられた発光駆動用の薄膜トランジスタＴｒ１３にしきい値電圧相当の電圧成分を保持させ（しきい値電圧を補償し）、さらに、表示データに応じた階調信号（所定の電流値を有する階調電流）を書き込んで、当該階調信号に応じた所望の輝度階調で有機ＥＬ素子ＯＥＬを発光動作させる表示駆動動作（表示駆動期間）と、を含んで構成されている。
【００５３】
以下、各制御動作について説明する。
（しきい値電圧検出動作）
図２は、本実施形態に係る表示駆動装置におけるしきい値電圧検出動作を示すタイミングチャートである。また、図３は、本実施形態に係る表示駆動装置における電圧印加動作を示す概念図であり、図４は、本実施形態に係る表示駆動装置における電圧収束動作を示す概念図であり、図５は、本実施形態に係る表示駆動装置における電圧読取動作を示す概念図である。また、図６は、ｎチャネル型の薄膜トランジスタにおいて、ゲート−ソース間電圧を所定の条件に設定し、ドレイン−ソース間電圧を変調した際のドレイン−ソース間電流特性の一例を表した図である。
【００５４】
本実施形態に係る表示駆動装置におけるしきい値電圧検出動作は、図２に示すように、所定のしきい値電圧検出期間Ｔdec内に、表示駆動装置１００からデータラインＤＬを介して、表示画素ＰＸにしきい値電圧検出用の電圧（検出用電圧Ｖpv）を印加して、表示画素ＰＸの発光駆動回路ＤＣに設けられた発光駆動用の薄膜トランジスタＴｒ１３のゲート−ソース間に上記検出用電圧Ｖpvに対応する電圧成分を保持させる（すなわち、コンデンサＣｓに検出用電圧Ｖpvに応じた電荷を蓄積する）電圧印加期間（検出用電圧印加ステップ）Ｔpvと、当該電圧印加期間Ｔpvに薄膜トランジスタＴｒ１３のゲート−ソース間に保持した電圧成分（コンデンサＣｓに蓄積された電荷）の一部を放電して、薄膜トランジスタＴｒ１３のドレイン−ソース間電流Ｉdsのしきい値電圧に相当する電圧成分（電荷）のみを薄膜トランジスタＴｒ１３のゲート−ソース間に保持させる（コンデンサＣｓに残留させる）電圧収束期間Ｔcvと、当該電圧収束期間Ｔcvの経過後に、薄膜トランジスタＴｒ１３のゲート−ソース間に保持された電圧成分（コンデンサＣｓに残留する電荷に基づく電圧値；しきい値電圧Ｖth13）を測定して、デジタルデータに変換してフレームメモリ１７０の所定の記憶領域に格納（記憶）する電圧読取期間（しきい値電圧検出ステップ）Ｔrvと、を含むように設定されている（Ｔdec≧Ｔpv＋Ｔcv＋Ｔrv）。
【００５５】
ここで、上記薄膜トランジスタＴｒ１３のドレイン−ソース間電流Ｉdsのしきい値電圧Ｖth13とは、当該ドレイン−ソース間に僅かな電圧をさらに加えることによって薄膜トランジスタＴｒ１３のドレイン−ソース間電流Ｉdsが流れ始める動作境界となる薄膜トランジスタＴｒ１３のゲート−ソース間電圧Ｖgsのことである。特に、本実施形態に係る電圧読取期間Ｔrvにおいて測定されるしきい値電圧Ｖth13は、薄膜トランジスタＴｒ１３の製造初期状態のしきい値電圧に対して、駆動履歴（発光履歴）や使用時間等により変動（Ｖthシフト）が生じた後の、当該しきい値電圧検出動作の実行時点におけるしきい値電圧を示す。
【００５６】
以下、しきい値電圧検出動作に係る各動作期間についてさらに詳しく説明する。
（電圧印加期間）
まず、電圧印加期間Ｔpvにおいては、図２、図３に示すように、発光駆動回路ＤＣの選択ラインＳＬにオンレベル（ハイレベル）の選択信号Ｓselが印加され、また、供給電圧ラインＶＬには、低電位の供給電圧Ｖsc（＝Ｖｓ）が印加される。ここで、低電位の供給電圧Ｖsc（＝Ｖｓ）は、共通電圧Ｖcom以下の電圧であればよく、例えば、接地電位ＧＮＤでもよい。
【００５７】
一方、このタイミングに同期して、切換制御信号ＡＺがハイレベルに設定されて書込側スイッチ１８３がオン状態、電圧検出側スイッチ１８１がオフ状態に設定されるとともに、入力選択スイッチ１８２が補償電圧ＤＡＣ１５０側に切換設定されることにより、補償電圧ＤＡＣ１５０から出力されるしきい値電圧の検出用電圧Ｖpvが、データライン入出力切換部１８０（入力選択スイッチ１８２及び書込側スイッチ１８３）を介して、データラインＤＬに印加される。
【００５８】
これにより、表示画素ＰＸを構成する発光駆動回路ＤＣに設けられた薄膜トランジスタＴｒ１１及びＴｒ１２がオン動作して、供給電圧Ｖscが薄膜トランジスタＴｒ１１を介して薄膜トランジスタＴｒ１３のゲート端子及びコンデンサＣｓの一端側（接点Ｎ１１）に印加されるとともに、データラインＤＬに印加された上記検出用電圧Ｖpvが、薄膜トランジスタＴｒ１２を介して薄膜トランジスタＴｒ１３のソース端子及びコンデンサＣｓの他端側（接点Ｎ１２）に印加される。
【００５９】
ここで、表示画素ＰＸ（発光駆動回路ＤＣ）において、有機ＥＬ素子ＯＥＬに発光駆動電流を供給するｎチャネル型の薄膜トランジスタＴｒ１３について、所定のゲート−ソース間電圧Ｖgsのときに、ドレイン−ソース間電圧Ｖdsを変調した場合のドレイン−ソース間電流Ｉdsの変化特性を検証すると、図６に示すような特性図で表すことができる。
【００６０】
図６において、横軸は薄膜トランジスタＴｒ１３の分圧とそれに直列に接続された有機ＥＬ素子ＯＥＬの分圧を表し、縦軸は薄膜トランジスタＴｒ１３のドレイン−ソース間の電流Ｉdsの電流値を表している。図中の一点鎖線は、薄膜トランジスタＴｒ１３のゲート−ソース間のしきい値電圧の境界線であり、当該境界線の左側が不飽和領域であり、右側が飽和領域となっている。実線は、薄膜トランジスタＴｒ１３のゲート−ソース間電圧Ｖgsを最高輝度階調での発光動作時の電圧Ｖgsmax、及び、最高輝度階調以下の任意の（異なる）輝度階調での発光動作時の電圧Ｖgs1（＜Ｖgsmax）、Ｖgs2（＜Ｖgs1）にそれぞれ固定したときに、薄膜トランジスタＴｒ１３のドレイン−ソース間電圧Ｖdsを変調したときのドレイン−ソース間電流Ｉdsの変化特性を示している。破線は、有機ＥＬ素子ＯＥＬを発光動作させる場合の負荷特性線（ＥＬ負荷線）であり、当該ＥＬ負荷線の右側の電圧は、供給電圧Ｖsc−共通電圧Ｖcom間電圧（一例として、図中では２０Ｖ）における有機ＥＬ素子ＯＥＬの分圧となり、ＥＬ負荷線の左側が薄膜トランジスタＴｒ１３のドレイン−ソース間の電圧Ｖdsに相当する。この有機ＥＬ素子ＯＥＬの分圧は、輝度階調が高くなる程、つまり薄膜トランジスタＴｒ１３のドレイン−ソース間電流Ｉds（発光駆動電流≒階調電流）の電流値が増大する程、漸次増大する。
【００６１】
図６において、不飽和領域では、薄膜トランジスタＴｒ１３のゲート−ソース間電圧Ｖgsを一定に設定した場合であっても、薄膜トランジスタＴｒ１３のドレイン−ソース間電圧Ｖdsが高くなるにつれてドレイン−ソース間電流Ｉdsの電流値が顕著に大きくなる（変化する）。一方、飽和領域では、薄膜トランジスタＴｒ１３のゲート−ソース間電圧Ｖgsを一定に設定した場合、ドレイン−ソース間電圧Ｖdsが高くなっても薄膜トランジスタＴｒ１３のドレイン−ソース間電流Ｉdsはあまり増加せず、ほぼ一定となる。
【００６２】
ここで、電圧印加期間Ｔpvにおいて、補償電圧ＤＡＣ１５０からデータラインＤＬ（さらには、表示画素ＰＸ（発光駆動回路ＤＣ）の薄膜トランジスタＴｒ１３のソース端子）に印加される上記検出用電圧Ｖpvは、低電位に設定された供給電圧Ｖsc（＝Ｖｓ）よりも十分低く、かつ、図６に示した特性図において、薄膜トランジスタＴｒ１３のゲート−ソース間電圧Ｖgsが飽和特性を示す領域のドレイン−ソース間電圧Ｖdsが得られるような電圧値に設定されている。本実施形態においては、上記検出用電圧Ｖpvとして、例えば、補償電圧ＤＡＣ１５０からデータラインＤＬに印加可能な最大電圧に設定するものであってもよい。
【００６３】
さらに、検出用電圧Ｖpvは、次の（１）式を満たすように設定されている。
｜Ｖｓ−Ｖpv｜＞Ｖth12＋Ｖth13      ・・・（１）
上記（１）式において、Ｖth12は、薄膜トランジスタＴｒ１２のゲート端子にオンレベルの選択信号Ｓselが印加されたときの薄膜トランジスタＴｒ１２のドレイン−ソース間のしきい値電圧である。また、薄膜トランジスタ１３のゲート端子及びドレイン端子にはともに低電位の供給電圧Ｖsc（＝Ｖｓ）が印加され、互いにほぼ等電位となっているので、Ｖth13は、薄膜トランジスタＴｒ１３のドレイン−ソース間電圧のしきい値電圧であり、当該薄膜トランジスタＴｒ１３のゲート−ソース間のしきい値電圧でもある。なお、Ｖth12＋Ｖth13は経時的に徐々に高くなっていくが、常に（１）式を満たすように（Ｖｓ−Ｖpv）の電位差が大きく設定されている。
【００６４】
このように、薄膜トランジスタＴｒ１３のゲート−ソース間（すなわち、コンデンサＣｓの両端）に、薄膜トランジスタＴｒ１３のしきい値電圧Ｖth13よりも大きな電位差Ｖcp（両端電位Ｖｃ）が印加されることにより、この電圧Ｖcpに応じた大電流の検出用電流Ｉpvが、供給電圧ラインＶＬから薄膜トランジスタＴｒ１３のドレイン−ソース間を介して、補償電圧ＤＡＣ１５０に向けて強制的に流れる。したがって、速やかにコンデンサＣｓの両端に該検出用電流Ｉpvに基づく電位差に対応する電荷が蓄積される（すなわち、コンデンサＣｓに電圧Ｖcpが充電される）。なお、電圧印加期間Ｔpvにおいては、コンデンサＣｓに電荷が蓄積されるばかりでなく、供給電圧ラインＶＬからデータラインＤＬに至る電流ルートのその他の容量成分にも、検出用電流Ｉpvが流れるため電荷の蓄積が行われる。
【００６５】
このとき、有機ＥＬ素子ＯＥＬのカソード端子には、上記供給電圧ラインＶＬに印加される低電位の供給電圧Ｖsc（＝Ｖｓ）以上の共通電圧Ｖcom（＝ＧＮＤ）が印加されているので、有機ＥＬ素子ＯＥＬのアノード−カソード間は、無電界状態又は逆バイアス状態に設定されることになり、有機ＥＬ素子ＯＥＬには発光駆動電流が流れず発光動作は行われない。
【００６６】
（電圧収束期間）
次いで、上記電圧印加期間Ｔpv終了後の電圧収束期間Ｔcvにおいては、図２、図４に示すように、選択ラインＳＬにオンレベルの選択信号Ｓselが印加され、また、供給電圧ラインＶＬに低電位の供給電圧Ｖsc（＝Ｖｓ）が印加された状態で、切換制御信号ＡＺがローレベルに切換設定されることにより、電圧検出側スイッチ１８１がオン状態に設定されるとともに、書込側スイッチ１８３がオフ状態に設定される。また、補償電圧ＤＡＣ１５０からの検出用電圧Ｖpvの出力が停止される。これにより、薄膜トランジスタＴｒ１１、Ｔｒ１２はオン状態を保持するため、表示画素ＰＸ（発光駆動回路ＤＣ）は、データラインＤＬとの電気的な接続状態は保持されるものの、当該データラインＤＬへの電圧印加が遮断されるので、コンデンサＣｓの他端側（接点Ｎ１２）はハイインピーダンス状態に設定される。
【００６７】
このとき、上述した電圧印加期間ＴpvにおいてコンデンサＣｓに蓄積された電荷（両端電位Ｖｃ＝Ｖcp＞Ｖth13）により薄膜トランジスタＴｒ１３のゲート電圧が保持されることになり、薄膜トランジスタＴｒ１３はオン状態を保持して当該ドレイン−ソース間に電流が流れ続けるので、薄膜トランジスタＴｒ１３のソース端子側（接点Ｎ１２；コンデンサＣｓの他端側）の電位がドレイン端子側（供給電圧ラインＶＬ側）の電位に近づくように徐々に上昇していく。
【００６８】
これにより、コンデンサＣｓに蓄積された電荷の一部が放電されて、薄膜トランジスタＴｒ１３のゲート−ソース間電圧Ｖgsが低下することになり、最終的に薄膜トランジスタＴｒ１３のしきい値電圧Ｖth13に収束するように変化する。また、これに伴って、薄膜トランジスタＴｒ１３のドレイン−ソース間電流Ｉdsが減少して、最終的に当該電流の流れが停止する。
【００６９】
なお、この電圧収束期間Ｔcvにおいても、有機ＥＬ素子ＯＥＬのアノード端子（接点Ｎ１２）の電位は、カソード端子側の共通電圧Ｖcomと同等であるか、又は、それ未満の電位を有しているので、有機ＥＬ素子ＯＥＬには依然として無電圧又は逆バイアス電圧が印加されることになり、有機ＥＬ素子ＯＥＬは発光動作しない。
【００７０】
（電圧読取期間）
次いで、上記電圧収束期間Ｔcv経過後の電圧読取期間Ｔrvにおいては、図２、図５に示すように、電圧収束期間Ｔcvと同様に、選択ラインＳＬにオンレベルの選択信号Ｓselが印加され、また、供給電圧ラインＶＬに低電位の供給電圧Ｖsc（＝Ｖｓ）が印加され、切換制御信号ＡＺがローレベルに設定された状態で、データラインＤＬに電気的に接続された検出電圧ＡＤＣ１４０及びしきい値データラッチ部１６０により、当該データラインＤＬの電位（検出電圧Ｖdec）を測定する。
【００７１】
ここで、上記電圧収束期間Ｔcv経過後のデータラインＤＬは、オン状態に設定された薄膜トランジスタＴｒ１２を介して、薄膜トランジスタＴｒ１３のソース端子（接点Ｎ１２）側に接続された状態にあり、また、上述したように、当該薄膜トランジスタＴｒ１３のソース端子（接点Ｎ１２）側の電位は、薄膜トランジスタＴｒ１３のしきい値電圧Ｖth13相当の電荷が蓄積されたコンデンサＣｓの他端側の電位に相当する。
【００７２】
一方、当該薄膜トランジスタＴｒ１３のゲート端子（接点Ｎ１１）側の電位は、薄膜トランジスタＴｒ１３のしきい値電圧Ｖth13相当の電荷が蓄積されたコンデンサＣｓの一端側の電位であって、このとき、オン状態に設定された薄膜トランジスタＴｒ１１を介して、低電位の供給電圧Ｖscに接続された状態にある。
【００７３】
これにより、検出電圧ＡＤＣ１４０により測定されるデータラインＤＬの電位は、薄膜トランジスタＴｒ１３のソース端子側の電位、又は、当該電位に対応する電位に相当することになるので、当該検出電圧Ｖdecと予め設定電圧が判明している低電位の供給電圧Ｖsc（例えば、接地電位ＧＮＤ）との差分（電位差）に基づいて、薄膜トランジスタＴｒ１３のゲート−ソース間電圧Ｖgs（コンデンサＣｓの両端電位Ｖｃ）、すなわち、薄膜トランジスタＴｒ１３のしきい値電圧Ｖth13、又は、当該しきい値電圧Ｖth13に対応する電圧を検出することができる。
【００７４】
そして、このようにして検出された薄膜トランジスタＴｒ１３のしきい値電圧Ｖth13（アナログ信号電圧）は、検出電圧ＡＤＣ１４０によりデジタル信号電圧からなるしきい値検出データに変換されて、しきい値データラッチ部１６０に一旦保持された後、１行分の各表示画素ＰＸのしきい値検出データを、シフトレジスタ・データレジスタ部１１０により順次読み出して、フレームメモリ１７０の所定の記憶領域に格納（記憶）する。ここで、各表示画素ＰＸの発光駆動回路ＤＣに設けられた薄膜トランジスタＴｒ１３のしきい値電圧Ｖth13は、各表示画素ＰＸにおける駆動履歴（発光履歴）等により変動（Ｖthシフト）の度合いが異なるため、フレームメモリ１７０には、各表示画素ＰＸ固有のしきい値検出データが記憶されることになる。
【００７５】
このような一連のしきい値電圧検出動作は、後述する表示駆動動作に先立つ任意のタイミング、例えば、システム（表示装置）の起動時や休止状態からの復起時等に実行され、後述する表示装置の駆動制御方法においても説明するように、表示パネルに配列された全ての表示画素について所定のしきい値電圧検出期間内に実行される。
【００７６】
（表示駆動動作：階調表示動作）
図７は、本実施形態に係る表示駆動装置における駆動制御方法（階調表示動作）を示すタイミングチャートである。また、図８は、本実施形態に係る表示駆動装置におけるプリチャージ動作を示す概念図であり、図９は、本実施形態に係る表示駆動装置におけるデータ書込動作を示す概念図であり、図１０は、本実施形態に係る表示駆動装置における発光動作を示す概念図である。
【００７７】
本実施形態に係る表示駆動装置における表示駆動動作は、図７に示すように、所定の表示駆動期間（１処理サイクル期間）Ｔcyc内に、表示駆動装置１００からデータラインＤＬを介して、表示画素ＰＸに所定のプリチャージ電圧Ｖpreを印加して、表示画素ＰＸの発光駆動回路ＤＣに設けられた発光駆動用の薄膜トランジスタＴｒ１３のゲート−ソース間に、当該薄膜トランジスタＴｒ１３のドレイン−ソース間電流Ｉdsのしきい値電圧Ｖth13相当の電圧成分を保持させて（コンデンサＣｓに電荷を蓄積又は放電させて）、しきい値電圧を補償するプリチャージ期間（第２のステップ、補償電圧印加ステップ）Ｔthと、表示データに応じた階調信号（階調電流）をデータラインＤＬを介して表示画素ＰＸ（発光駆動回路ＤＣ）に印加し、薄膜トランジスタＴｒ１３のゲート−ソース間に、上記プリチャージ期間Ｔthに保持されたしきい値電圧Ｖth13相当の電圧成分に、階調信号に応じた電圧成分を上乗せして、階調信号を書き込む書込動作期間（第３のステップ、データ書込ステップ）Ｔwrtと、上記薄膜トランジスタＴｒ１３のゲート−ソース間に保持された全電圧成分（コンデンサＣｓに蓄積された総電荷量）に基づいて、表示データに応じた電流値を有する発光駆動電流を有機ＥＬ素子ＯＥＬに流して、所定の輝度階調で発光動作させる発光動作期間（階調発光ステップ）Ｔemと、を含むように設定されている（Ｔcyc≧Ｔth＋Ｔwrt＋Ｔem）。
【００７８】
ここで、本実施形態に係る表示駆動期間Ｔcycに適用される１処理サイクル期間は、例えば、表示画素ＰＸが１フレームの画像のうちの１画素分の画像情報を表示するのに要する期間に設定される。すなわち、後述する表示装置の駆動制御方法において説明するように、複数の表示画素ＰＸを行方向及び列方向にマトリクスに配列した表示パネルに、１フレームの画像を表示する場合、上記１処理サイクル期間Ｔcycは、１行分の表示画素ＰＸが１フレームの画像のうちの１行分の画像を表示するのに要する期間に設定される。
【００７９】
以下、表示駆動動作に係る各動作期間についてさらに詳しく説明する。
（プリチャージ期間）
まず、プリチャージ期間Ｔthにおいては、上述した電圧印加期間Ｔpvと同様に、図７、図８に示すように、発光駆動回路ＤＣの選択ラインＳＬにオンレベル（ハイレベル）の選択信号Ｓselが印加され、また、供給電圧ラインＶＬには、低電位の供給電圧Ｖsc（＝Ｖｓ；例えば、接地電位ＧＮＤ）が印加される。
【００８０】
これにより、発光駆動回路ＤＣに設けられた薄膜トランジスタＴｒ１１及びＴｒ１２がオン動作して、供給電圧Ｖscが薄膜トランジスタＴｒ１１を介して薄膜トランジスタＴｒ１３のゲート端子（接点Ｎ１１；コンデンサＣｓの一端側）に印加されるとともに、薄膜トランジスタＴｒ１３のソース端子（接点Ｎ１２）が薄膜トランジスタＴｒ１２を介して、データラインＤＬに電気的に接続される。
【００８１】
一方、このタイミングに同期して、切換制御信号ＡＺがハイレベルに設定されて書込側スイッチ１８３がオン状態、電圧検出側スイッチ１８１がオフ状態に設定されるとともに、入力選択スイッチ１８２が補償電圧ＤＡＣ１５０側に切換設定される。
これにより、補償電圧ＤＡＣ１５０から出力されるプリチャージ電圧Ｖpreが、データライン入出力切換部１８０（入力選択スイッチ１８２及び書込側スイッチ１８３）を介して、データラインＤＬに印加され、さらに、上記発光駆動回路ＤＣに設けられた薄膜トランジスタＴｒ１２を介して、当該プリチャージ電圧Ｖpreが薄膜トランジスタＴｒ１３のソース端子（接点Ｎ１２）に印加される。
【００８２】
ここで、プリチャージ期間Ｔthにおいて、補償電圧ＤＡＣ１５０からデータラインＤＬを介して、表示画素ＰＸ（発光駆動回路ＤＣ）の薄膜トランジスタＴｒ１３のソース端子（接点Ｎ１２）に印加される上記プリチャージ電圧Ｖpreは、上述したしきい値電圧検出動作において、検出電圧ＡＤＣ１４０及びしきい値データラッチ部１６０により各表示画素ＰＸごとに検出され、フレームメモリ１７０に各表示画素ＰＸごとに個別に記憶されたしきい値検出データに基づいて、各表示画素ＰＸ（発光駆動回路ＤＣ）の薄膜トランジスタＴｒ１３に固有のしきい値電圧Ｖth13を補償する電圧値を有するものであって、上記プリチャージ電圧Ｖpreの印加により、当該薄膜トランジスタＴｒ１３のゲート−ソース間（コンデンサＣｓの両端）にしきい値電圧Ｖth13相当の電圧成分を保持させることができる電圧値に設定されている。
【００８３】
薄膜トランジスタＴｒ１３のしきい値電圧Ｖth13について、より具体的に説明すると、上述したように、表示画素ＰＸに設けられる発光駆動回路ＤＣを構成する薄膜トランジスタＴｒ１１〜Ｔｒ１３として、ｎチャネル型のアモルファスシリコン薄膜トランジスタを適用した場合、すでに確立されたアモルファスシリコン製造技術を適用して、素子特性の均一な薄膜トランジスタを形成することができ、動作特性の安定した発光駆動回路を比較的簡易な製造プロセスで製造することができるという利点を有している。
【００８４】
しかしながら、アモルファスシリコン薄膜トランジスタは、一般に駆動履歴によるしきい値電圧の変動（Ｖthシフト）が顕著に生じることが知られている。このようなしきい値電圧の変動の影響を抑制する駆動制御方法として、後述するように、表示画素ＰＸに設けられた発光駆動回路ＤＣに対して、データラインＤＬを介して表示データに応じた階調信号の電流成分（階調電流）を直接流す電流階調指定方式（又は、電流階調指定駆動）の駆動制御方法が知られているが、この駆動制御方法によれば、発光駆動用の薄膜トランジスタＴｒ１３のゲート−ソース間（コンデンサＣｓの両端）に加え、当該階調電流が供給される経路に形成された（寄生する）容量成分をも、階調電流により所定電圧まで充電することになるため、特に、低い輝度階調で発光動作（低階調表示）を行う場合には、階調電流が微小になることにより上記充電動作に時間を要し、所定の時間内に階調信号の書込動作が終了せず、薄膜トランジスタＴｒ１３のゲート−ソース間（コンデンサＣｓの両端）に保持される電圧成分が表示データに対して不足する書込不足が発生して、所望の輝度階調での発光動作が行われなくなる可能性がある。
【００８５】
より具体的には、電流階調指定方式の駆動制御方法において、薄膜トランジスタＴｒ１３のドレイン−ソース間に、後述する書込動作の際に表示データに応じた階調電流を流すために必要とする薄膜トランジスタＴｒ１３のゲート−ソース間電圧Ｖgsのうち、多くの電圧成分は、当該薄膜トランジスタＴｒ１３のしきい値電圧Ｖth13に寄与するものであり、特に、有機ＥＬ素子ＯＥＬを最低輝度階調（ＬＳＢ）で発光動作させる場合に必要とする薄膜トランジスタＴｒ１３のゲート−ソース間電圧Ｖgs（＝Ｖlsb）では、保持された電圧成分（全電荷）のうちのしきい値電圧Ｖth13に寄与する電圧成分の割合は５割を大きく越えていることが本願発明者等の各種実験の結果、判明した。
【００８６】
このしきい値電圧Ｖth13に相当する電圧成分（電荷量）を、本実施形態に係るプリチャージ動作（プリチャージ電圧Ｖpreの印加）を適用することなく、階調信号（微小な電流値の階調電流）の書込動作だけでゲート−ソース間（コンデンサＣｓ）に充電しようとすると、後述する書込動作期間Ｔwrtが大幅に長くなってしまい、結果的に、画像情報が所定の処理期間（フレーム期間）に良好に表示されなくなる不具合が発生する可能性があった。
【００８７】
そこで、本実施形態においては、後述する階調信号の書込動作に先立って、プリチャージ期間Ｔthを設け、プリチャージ電圧Ｖpreを印加することにより、薄膜トランジスタＴｒ１３のゲート−ソース間（コンデンサＣｓの両端）に、当該薄膜トランジスタＴｒ１３の現時点のしきい値電圧（駆動履歴によるＶthシフトした後の、しきい値電圧検出動作時点のしきい値電圧）Ｖth13相当の電圧成分を保持させた状態に設定し、低階調表示時の微小な階調電流であっても、階調信号により薄膜トランジスタＴｒ１３のゲート−ソース間（コンデンサＣｓの両端）にしきい値電圧Ｖth13相当の電圧成分を充電することなく、表示データに応じた電圧成分（しきい値電圧Ｖth13相当分を除く、表示データに応じた階調表示のための実質的な電圧成分；実効電圧Ｖdata）のみを、上記しきい値電圧Ｖth13相当の電圧成分に上乗せして薄膜トランジスタＴｒ１３のゲート−ソース間に保持させることができる。
【００８８】
なお、このプリチャージ期間Ｔthにおいては、薄膜トランジスタＴｒ１３のゲート−ソース間に、当該薄膜トランジスタＴｒ１３に固有のしきい値電圧Ｖth13相当の電圧成分が保持された状態に制御されるので、当該薄膜トランジスタＴｒ１３のドレイン−ソース間には電流がほとんど流れず、また、有機ＥＬ素子ＯＥＬのアノード端子（接点Ｎ１２）側の電位は、カソード端子側の共通電圧Ｖcomと同等であるか、又は、それ未満の電位を有しているので、有機ＥＬ素子ＯＥＬには無電圧又は逆バイアス電圧が印加されて、有機ＥＬ素子ＯＥＬは発光動作しない。
【００８９】
このように、薄膜トランジスタＴｒ１３のゲート−ソース間にしきい値電圧Ｖth13相当の電圧成分を保持させるために、発光駆動回路ＤＣ及びデータラインＤＬに当該電圧成分に基づく電流を流すことなく、各薄膜トランジスタＴｒ１３に固有のしきい値電圧Ｖth13に応じた電圧値を有するプリチャージ電圧Ｖpreを、薄膜トランジスタＴｒ１３のソース端子（接点Ｎ１２）側に直接印加するようにしているので、各表示画素ＰＸ（発光駆動回路ＤＣ）の発光駆動用の薄膜トランジスタＴｒ１３（コンデンサＣｓ）に当該しきい値電圧Ｖth13に相当する電圧成分を迅速に充電することができる。
【００９０】
（書込動作期間）
次いで、プリチャージ期間Ｔth終了後の書込動作期間Ｔwrtにおいては、図７、図９に示すように、選択ラインＳＬにオンレベルの選択信号Ｓselが印加され、また、供給電圧ラインＶＬに低電位の供給電圧Ｖsc（＝Ｖｓ）が印加印加され、切換制御信号ＡＺがハイレベルに設定された状態で、入力選択スイッチ１８２が階調信号生成部１３０側に切換設定されることにより、表示データに応じて階調信号生成部１３０から出力される階調信号（負極性の階調電流Ｉdata）が、データライン入出力切換部１８０（入力選択スイッチ１８２及び書込側スイッチ１８３）を介して、データラインＤＬに供給される。ここで、階調信号として、負極性の階調電流Ｉdataが供給されることにより、当該電流がデータラインＤＬ側から、データライン入出力切換部１８０を介して階調信号生成部１３０方向に引き込まれるように流れる。
【００９１】
これにより、表示画素ＰＸ（発光駆動回路ＤＣ）に設けられた薄膜トランジスタＴｒ１１がオン動作して、低電位の供給電圧Ｖsc（＝Ｖｓ）が薄膜トランジスタＴｒ１１を介して薄膜トランジスタＴｒ１３のゲート及びコンデンサＣｓの一端側（接点Ｎ１１）に印加されるとともに、薄膜トランジスタＴｒ１２がオン動作して、データラインＤＬを介して階調電流Ｉdataが引き込まれることにより、上記供給電圧Ｖscよりもさらに低電位の電圧が薄膜トランジスタＴｒ１３のソース端子側（接点Ｎ１２；コンデンサＣｓの他端側）に印加されるので、薄膜トランジスタＴｒ１３が所定の導通状態でオン動作して、図９に示すように、供給電圧ラインＶＬから薄膜トランジスタＴｒ１３、接点Ｎ１２、薄膜トランジスタＴｒ１２、データラインＤＬを介して、表示駆動装置１００（階調信号生成部１３０）に、階調電流Ｉdataの電流値に対応した書込電流Ｉwrtが速やかに流れる。
【００９２】
ここで、薄膜トランジスタＴｒ１３のゲート−ソース間に接続されたコンデンサＣｓには、上述したプリチャージ期間Ｔthにおいて、薄膜トランジスタＴｒ１３に固有のしきい値電圧Ｖth13相当の電圧成分が保持された（電荷が蓄積された）状態にあるので、階調電流Ｉdataに基づく書込電流Ｉwrtが薄膜トランジスタＴｒ１３のドレイン−ソース間で定常化するのに必要とする容量の電荷は、しきい値電圧Ｖth13分を含まず、表示データに応じた階調表示のための実効電圧Ｖdataのみを充電するための電流値を有する階調電流Ｉdata（書込電流Ｉwrt）であればよく、比較的短い時間で薄膜トランジスタＴｒ１３のゲート−ソース間（コンデンサＣｓの両端）に当該電荷を充電することができる。
【００９３】
したがって、薄膜トランジスタＴｒ１３のしきい値電圧Ｖth13が発光履歴（駆動履歴）等によりＶthシフトした場合であっても、階調信号（表示データ）に適切に対応した電圧成分Ｖdataを書込動作期間Ｔwrtに迅速かつ十分に書き込むことができる。なお、この書込動作期間Ｔwrtにおいては、薄膜トランジスタＴｒ１３のドレイン−ソース間電流（書込電流Ｉwrt）により、薄膜トランジスタＴｒ１３のゲート−ソース間電圧Ｖgs、つまりコンデンサＣｓに蓄積される電荷量が一義的に設定されるので、コンデンサＣｓに充電される電圧Ｖｃは、具体的には、薄膜トランジスタＴｒ１３に固有のしきい値電圧Ｖth13と階調電流Ｉdataに応じた電圧成分（実効電圧）Ｖdataの総和（Ｖth13＋Ｖdata）となる。
【００９４】
また、このとき、供給電圧ラインＶＬには、低電位の供給電圧Ｖsc（＝Ｖｓ）が印加され、さらに、書込電流Ｉwrtが供給電圧ラインＶＬから発光駆動回路ＤＣを介してデータラインＤＬ方向に流れるように制御されていることから、有機ＥＬ素子ＯＥＬのアノード端子（接点Ｎ１２）に印加される電位はカソード端子の電位Ｖcom（ＧＮＤ）以下になるので、有機ＥＬ素子ＯＥＬに逆バイアス電圧が印加されることになり、有機ＥＬ素子ＯＥＬには発光駆動電流が流れず、発光動作は行われない。
【００９５】
（発光動作期間）
次いで、書込動作期間Ｔwrt終了後の発光動作期間Ｔemにおいては、図７、図１０に示すように、選択ラインＳＬにオフレベル（ローレベル）の選択信号Ｓselが印加され、供給電圧ラインＶＬに高電位の供給電圧Ｖsc（＝Ｖｅ）が印加される。また、このタイミングに同期して、階調信号生成部１３０による上記階調電流Ｉdataの引き込み動作が停止される。
【００９６】
これにより、発光駆動回路ＤＣに設けられた薄膜トランジスタＴｒ１１及びＴｒ１２がオフ動作して、供給電圧Ｖscの薄膜トランジスタＴｒ１３のゲート端子（接点Ｎ１１；コンデンサＣｓの一端側）及びドレイン端子への印加が遮断されるとともに、データラインＤＬと薄膜トランジスタＴｒ１３のソース端子（接点Ｎ１２；コンデンサＣｓの他端側）との電気的な接続が遮断されるので、上述した書込動作期間ＴwrtにおいてコンデンサＣｓに蓄積された電荷が保持される。
【００９７】
なお、発光動作期間Ｔemにおいて、供給電圧ラインＶＬに印加される高電位の供給電圧Ｖsc（＝Ｖｅ）は、有機ＥＬ素子ＯＥＬを最高輝度階調（ＭＳＢ）で発光動作させる際に必要となるアノード電圧以上の電圧値（有機ＥＬ素子ＯＥＬのカソード側に接続された電圧Ｖcomに対して、順バイアスとなる正の電圧）になるように設定されている。
【００９８】
具体的には、高電位の供給電圧Ｖsc（＝Ｖｅ）は、下記の（２）式を満たすような電圧値に設定される。
｜Ｖｅ−Ｖcom｜＞Ｖdsmax＋Ｖelmax      ・・・（２）
上記（２）式において、Ｖdsmaxは、最高輝度階調で発光動作させる際の階調電流Ｉdataを流す場合に、薄膜トランジスタＴｒ１３のドレイン−ソース間が発光動作期間Ｔemで図６に示した飽和領域に達するような薄膜トランジスタＴｒ１３のドレイン−ソース間の最高電圧値である。また、Ｖelmaxは、最高輝度階調時の有機ＥＬ素子ＯＥＬの分圧である。
【００９９】
このように、プリチャージ動作及び書込動作時にコンデンサＣｓに充電された電圧成分の総和（Ｖth13＋Ｖdata）がコンデンサＣｓの両端電位Ｖｃとして保持されることにより、薄膜トランジスタのＴｒ１３のゲート−ソース間電圧Ｖgs（すなわち、接点Ｎ１１の電位）が保持されることになり、薄膜トランジスタＴｒ１３はオン状態を維持する。
【０１００】
したがって、発光動作期間Ｔemに、図１０に示すように、供給電圧ラインＶＬから薄膜トランジスタＴｒ１３、接点Ｎ１２を介して、有機ＥＬ素子ＯＥＬ方向に発光駆動電流Ｉemが流れ、有機ＥＬ素子ＯＥＬが該発光駆動電流Ｉemの電流値に応じた所定の輝度階調で発光する。ここで、発光動作期間ＴemにコンデンサＣｓに保持される電荷（両端電位Ｖｃ）は、上述したように、薄膜トランジスタＴｒ１３において階調電流Ｉdataに対応する書込電流Ｉwrtを流す場合の電位差に相当するので、有機ＥＬ素子ＯＥＬに流れる発光駆動電流Ｉemは、上記書込電流Ｉwrt（階調電流Ｉdata）と同等の電流値（Ｉem≒Ｉwrt＝Ｉdata）を有することになる。これにより、書込動作期間Ｔwrtに書き込まれた電圧成分（実効電圧Ｖdata）に基づいて、所定の発光状態（輝度階調）に対応する発光駆動電流Ｉemが供給されることになり、有機ＥＬ素子ＯＥＬは表示データ（階調信号）に応じた輝度階調で継続的に発光する。
【０１０１】
このように、本実施形態に係る表示駆動装置及び表示画素によれば、プリチャージ期間に薄膜トランジスタＴｒ１３のゲート−ソース間にしきい値電圧Ｖth13相当の電圧成分を保持させ、さらに、書込動作期間に有機ＥＬ素子ＯＥＬの発光状態（輝度階調）に応じた電流値を指定した階調電流Ｉdata（書込電流Ｉwrt）を強制的に薄膜トランジスタＴｒ１３のドレイン−ソース間に流して、薄膜トランジスタＴｒ１３のゲート−ソース間にその電流値に応じた電圧成分Ｖdataを保持させることにより、実質的に階調電流Ｉdataに応じた電圧成分（実効電圧Ｖdata）に基づいて、有機ＥＬ素子（発光素子）ＯＥＬに流す発光駆動電流Ｉemを制御することにより、所定の輝度階調で発光動作させる電流階調指定方式の駆動制御方法を適用し、また、単一の発光駆動用のスイッチング素子（薄膜トランジスタＴｒ１３）により、所望の表示データ（輝度階調）に応じた階調電流Ｉdataの電流レベルを電圧レベルに変換する機能（電流／電圧変換機能）と、有機ＥＬ素子ＯＥＬに所定の電流値を有する発光駆動電流Ｉemを供給する機能（発光駆動機能）の双方を実現しているので、発光駆動回路ＤＣを構成する薄膜トランジスタ相互の素子特性のバラツキや経時変化の影響を受けることなく、長期間にわたり安定的に所望の発光特性を実現することができる。
【０１０２】
また、本実施形態に係る表示駆動装置及び表示画素によれば、表示画素ＰＸへの表示データ（階調信号）の書込動作、及び、有機ＥＬ素子ＯＥＬの発光動作に先立って、プリチャージ動作を実行することにより、各発光駆動回路ＤＣに設けられた発光駆動用の薄膜トランジスタＴｒ１３のゲート−ソース端子間に接続されたコンデンサＣｓに、プリチャージ電圧Ｖpreを印加して当該薄膜トランジスタＴｒ１３に固有のしきい値電圧Ｖth13に相当する電圧成分を保持（電荷を蓄積）した状態に設定することができる。
【０１０３】
したがって、各表示画素ＰＸ（発光駆動回路ＤＣ）に設けられた発光駆動用のスイッチング素子（薄膜トランジスタＴｒ１３）のしきい値電圧Ｖth13が、経時変化や駆動履歴等に起因して変化（Ｖthシフト）した場合であっても、上述したプリチャージ動作において、個々の薄膜トランジスタＴｒ１３に固有のしきい値電圧Ｖth13に応じた電荷が適切に蓄積された状態に設定することができる。これにより、表示データの書込動作において、表示データに基づく階調電流ＩdataによりコンデンサＣｓをしきい値電圧Ｖth13相当に充電する必要がなく、当該表示データ（輝度階調）に応じた電圧成分（実効電圧）Ｖdataのみを上乗せして充電すればよいので、表示データに基づく電荷をコンデンサＣｓに迅速に蓄積することができ、書込不足の発生を抑制して、表示データに応じた適正な輝度階調で有機ＥＬ素子ＯＥＬを発光動作させることができる。
【０１０４】
なお、本実施形態においては、表示駆動動作に先立って実行されるしきい値電圧検出動作において、電圧印加期間Ｔpvに各表示画素ＰＸの発光駆動回路ＤＣ（薄膜トランジスタＴｒ１３のソース端子側）に印加する検出用電圧Ｖpvを、補償電圧ＤＡＣ１５０から入力選択スイッチ１８２及び書込側スイッチ１８３を介して、データラインＤＬに印加する表示駆動装置の構成及び駆動制御方法を示したが、本発明はこれに限定されるものではなく、例えば、以下に示すように、検出用電圧ＶpvをデータラインＤＬに印加するための専用電源を備えるものであってもよい。
【０１０５】
図１１は、本実施形態に係る表示駆動装置の他の構成例を示す要部構成図である。ここで、上述した実施形態と同等の構成についてはその説明を省略する。
本構成例に係る表示駆動装置は、図１１に示すように、上述した表示駆動装置１００の構成（図１参照）に加え、補償電圧ＤＡＣ１５０とは別個に、検出用電圧Ｖpvを出力する検出用電圧電源１９０を備えた構成を有するとともに、データライン入出力切換部１８０に設けられる入力選択スイッチ１８２が補償電圧ＤＡＣ１５０（プリチャージ電圧Ｖpre）、及び、階調信号生成部１３０（階調電流Ｉdata）に加え、上記検出用電圧電源１９０（検出用電圧Ｖpre）を含む三者のうち、いずれかをデータラインＤＬに選択的に接続可能なように構成されている。
【０１０６】
これによれば、上述した電圧印加期間Ｔpvにおいて、データライン入出力切換部１８０の入力選択スイッチ１８２及び書込側スイッチ１８３を検出用電圧電源１９０側に切り換える制御のみで、任意の電圧値を有する検出用電圧ＶpvをデータラインＤＬに印加することができるので、補償電圧ＤＡＣ１５０における検出用電圧Ｖpvの出力動作のための処理負担を軽減することができる。
【０１０７】
（表示駆動動作：無発光表示動作）
次いで、上述したような構成を有する表示駆動装置及び表示画素において、発光素子を発光動作させない無発光表示（黒表示）を行う場合の駆動制御方法について、図面を参照して説明する。
【０１０８】
図１２は、本実施形態に係る表示駆動装置における駆動制御方法（無発光表示動作）を示すタイミングチャートである。また、図１３は、本実施形態に係る表示駆動装置におけるデータ書込動作の他の例を示す概念図であり、図１４は、本実施形態に係る表示駆動装置における無発光動作を示す概念図である。ここで、上述した階調表示動作と同等の駆動制御についてはその説明を簡略化又は省略する。
【０１０９】
本実施形態に係る表示駆動装置における駆動制御動作は、図１２に示すように、上述したしきい値電圧検出動作（しきい値電圧検出期間Ｔdec）の後に、各表示画素ＰＸに設けられた発光駆動用の薄膜トランジスタＴｒ１３にしきい値電圧Ｖth13相当の電圧成分を保持させて、当該しきい値電圧Ｖth13を補償した後、表示データに応じた階調信号（無発光表示電圧Ｖzero）を書き込んで、有機ＥＬ素子ＯＥＬを無発光状態に設定する表示駆動動作（表示駆動期間）を含んで構成されている。
【０１１０】
すなわち、上述した階調表示動作を実行する際の駆動制御動作においては、当該表示駆動動作（表示駆動期間Ｔcyc）の際に設定される書込動作期間Ｔwrtから発光動作期間Ｔemに移行する際に、供給電圧Ｖscが低電位（Ｖs）から高電位（Ｖｅ）に変位するように設定されている。このため、薄膜トランジスタＴｒ１１に寄生する容量成分等に保持される電荷の変位により、薄膜トランジスタＴｒ１３のゲート端子（接点Ｎ１１）に印加される電位（ゲート電位）が上昇してしまうという現象が生じる。
【０１１１】
ここで、表示データに基づく輝度階調が最低階調（黒表示状態）の場合、階調電流Ｉdataの電流値は微小な状態又は０（すなわち、階調電流Ｉdataが流れない状態）となるが、上述したプリチャージ期間ＴthにおいてコンデンサＣｓに充電される電圧（両端電位Ｖｃ）は、薄膜トランジスタＴｒ１３に固有のしきい値電圧Ｖth13の近傍であるため、上記書込動作期間Ｔwrtから発光動作期間Ｔemへの移行により、僅かなゲート電位の変動が生じた場合であっても、薄膜トランジスタＴｒ１３がオン動作して発光駆動電流Ｉemが流れてしまい、表示データに応じた無発光表示（黒表示）動作が実現されなくなる（不安定になる）可能性がある。
【０１１２】
このような無発光表示動作を安定化させるためには、発光動作期間Ｔemにおいて、コンデンサＣｓに充電された電圧成分（蓄積された電荷）が放電されて、薄膜トランジスタＴｒ１３のゲート−ソース間電圧Ｖgs（コンデンサＣｓの両端電位Ｖｃ）が、当該薄膜トランジスタＴｒ１３のしきい値電圧Ｖth13よりも十分低く設定されていること、より望ましくは、０Ｖ（すなわち、接点Ｎ１１と接点Ｎ１２が等電位）に設定されていることが望ましい。
【０１１３】
このような電圧状態を実現するために、上述したような微小な電流値の階調電流Ｉdataを用いて書込動作を行った場合、コンデンサＣｓに蓄積された電荷を放電してゲート−ソース間電圧Ｖgsを所望の電荷量（電圧値）にするために比較的長い時間を必要とする。特に、１つ前の表示駆動期間（１処理サイクル期間）Ｔcycの書込動作期間Ｔwrtにおいて、コンデンサＣｓに充電された電圧成分（両端電位Ｖｃ）が最高輝度階調電圧に近い程、コンデンサＣｓに蓄積されている電荷量が多いため、所望の電圧値になるように電荷を放電するためにより長い時間を要することとなる。
【０１１４】
そこで、本実施形態に係る表示駆動装置においては、図１に示すように、階調信号生成部１３０に、表示データに応じた所定の輝度階調で有機ＥＬ素子（発光素子）ＯＥＬを発光動作させるための階調電流Ｉdataを生成して供給する手段に加え、有機ＥＬ素子ＯＥＬを発光動作させずに最も暗い表示（黒表示）動作をさせるための無発光表示電圧Ｖzeroを生成して供給する手段を備え、最低輝度階調（黒表示状態）時に、無発光表示電圧ＶzeroをデータラインＤＬに印加するように構成されている。
【０１１５】
なお、本実施形態においては、階調信号生成部１３０により無発光表示電圧ＶzeroをデータラインＤＬを介して発光駆動回路ＤＣ（薄膜トランジスタＴｒ１３のソース端子側；接点Ｎ１２）に印加する場合について示すが、本発明はこれに限定されるものではなく、例えば、無発光表示電圧ＶzeroをデータラインＤＬに印加するための専用電源を備えるものであってもよい。
【０１１６】
そして、このような構成を有する表示駆動装置における駆動制御方法は、上述したしきい値電圧検出動作の終了後の表示駆動動作において、図１２に示すように、所定の表示駆動期間（１処理サイクル期間）Ｔcyc内に、表示画素ＰＸに所定のプリチャージ電圧Ｖpreを印加して、発光駆動回路ＤＣに設けられた発光駆動用の薄膜トランジスタＴｒ１３のゲート−ソース間（コンデンサＣｓの両端）に、当該薄膜トランジスタＴｒ１３に固有のしきい値電圧Ｖth13に相当する電圧成分を保持させる（コンデンサＣｓに電荷を蓄積又は放電させる）プリチャージ期間Ｔthと、表示データ（無発光表示データ）に応じた階調信号（無発光表示電圧Ｖzero）をデータラインＤＬを介して各表示画素ＰＸ（発光駆動回路ＤＣ）に印加し、薄膜トランジスタＴｒ１３のゲート−ソース間（コンデンサＣｓ）に保持された電荷のほぼ全てを放電して、薄膜トランジスタＴｒ１３のゲート−ソース間電圧Ｖgsを０Ｖに設定する書込動作期間Ｔwrtと、有機ＥＬ素子ＯＥＬを発光動作させない（無発光動作させる）発光動作期間Ｔemと、を含むように設定されている（Ｔcyc≧Ｔth＋Ｔwrt＋Ｔem）。
【０１１７】
すなわち、上述した階調表示動作を実行する際の駆動制御動作と同様に、書込動作期間Ｔwrtに先立つプリチャージ動作において、発光駆動用の薄膜トランジスタＴｒ１３のゲート−ソース間（コンデンサＣｓ）に、当該薄膜トランジスタＴｒ１３に固有のしきい値電圧Ｖth13相当の電圧成分を保持（電荷量を蓄積）させた後、階調信号の書込動作において、図１３に示すように、表示駆動装置１００（階調信号生成部１３０）から、例えば、低電位の供給電圧Ｖsc（＝Ｖｓ）と等電位の無発光表示電圧Ｖzeroをデータライン入出力切換部１８０及びデータラインＤＬを介して、表示画素ＰＸ（発光駆動回路ＤＣ）に設けられた薄膜トランジスタＴｒ１３のソース端子側（接点Ｎ１２）に直接印加して、上記ゲート−ソース間電圧Ｖgs（コンデンサＣｓの両端電位Ｖｃ）を０Ｖに設定する。
【０１１８】
このように、コンデンサＣｓに蓄積された電荷のほぼ全てが放電され、薄膜トランジスタＴｒ１３のゲート−ソース電圧Ｖgsが、当該薄膜トランジスタＴｒ１３に固有のしきい値電圧Ｖth13よりも十分低い電圧値（略０Ｖ）に設定されるので、書込動作期間Ｔwrから発光動作期間Ｔemに移行する際に、供給電圧Ｖscが低電位（Ｖs）から高電位（Ｖｅ）に変位して薄膜トランジスタＴｒ１３のゲート電位（接点Ｎ１１の電位）が僅かながら上昇したとしても、図１４に示すように、薄膜トランジスタＴｒ１３はオン動作せず（オフ状態を保持して）、有機ＥＬ素子ＯＥＬには発光駆動電流Ｉemが供給されず、発光動作は行われない（無発光状態となる）。
【０１１９】
これにより、無発光表示動作時に、データラインＤＬを介して無発光表示データに対応した階調電流を供給して、薄膜トランジスタＴｒ１３のゲート−ソース間に接続されたコンデンサＣｓに蓄積された電荷のほぼ全てを放電する場合に比較して、無発光表示データの書込動作に要する時間を短縮しつつ、有機ＥＬ素子ＯＥＬの無発光状態（無発光表示動作）を良好に実現することができる。したがって、上述した通常の階調表示を行うための表示駆動動作に加え、無発光表示を行うための表示駆動動作を、表示データ（輝度階調データ）に応じて切換制御することにより、所望の階調数（例えば、２５６階調）の発光動作を、比較的高輝度かつ鮮明に実現することができる。
【０１２０】
なお、本実施形態に係る表示画素ＰＸにおいては、図１に示したように、発光駆動回路ＤＣに設けられる薄膜トランジスタＴｒ１１〜Ｔｒ１３として、いずれもｎチャネル型のアモルファスシリコン薄膜トランジスタを適用した構成を示したが、ポリシリコン薄膜トランジスタを適用するものであってもよく、さらに、全てｐチャネル型のアモルファスシリコン薄膜トランジスタを適用するものであってもよい。ここで、全てｐチャネル型を適用した場合、信号のオンレベル、オフレベルのハイ、ローが反転するように設定される。
【０１２１】
また、本実施形態においては、図１に示したように、各表示画素ＰＸに設けられる発光駆動回路ＤＣとして、３個の薄膜トランジスタＴｒ１１〜Ｔｒ１３を備えた回路構成を示して説明したが、本発明はこれに限定されるものではない。すなわち、電流階調指定方式に対応した発光駆動回路であって、単一の薄膜トランジスタを用いて、表示データに応じて供給された階調電流を電圧成分に変換して、ゲート−ソース間に接続されたコンデンサ又は寄生容量に蓄積する電流／電圧変換機能、及び、該蓄積された電圧成分に基づいて発光素子（有機ＥＬ素子）に供給する発光駆動電流を制御する発光駆動機能を実現するものであれば、他の回路構成を有するものであってもよいことはいうまでもない。
【０１２２】
さらに、上述した表示駆動装置及び表示画素の駆動制御方法において、プリチャージ動作として、補償電圧ＤＡＣ１５０からデータラインＤＬを介して、各表示画素ＰＸに上記しきい値補償データに基づく電圧値を有するプリチャージ電圧Ｖpreを印加する場合について説明したが、本発明はこれに限定されるものではなく、要するに、プリチャージ動作により、各表示画素ＰＸの発光駆動回路ＤＣに設けられた発光駆動用の薄膜トランジスタＴｒ１３のゲート−ソース間に、各薄膜トランジスタＴｒ１３のドレイン−ソース間電流Ｉdsのしきい値電圧を補償する電圧成分（当該薄膜トランジスタＴｒ１３に固有のしきい値電圧Ｖth13相当の電圧成分）を保持させることができるものであればよいので、例えば、表示駆動装置１００から上記しきい値補償データに基づく電流値を有するプリチャージ電流を、データラインＤＬを介して各表示画素ＰＸに印加する構成を有するものであってもよい。
【０１２３】
＜表示装置＞
次に、本発明に係る表示装置及びその駆動制御方法について、図面を参照して説明する。
図１５は、本発明に係る表示装置の全体構成の一例を示す概略ブロック図であり、図１６は、本実施形態に係る表示装置に適用される表示パネル及びその周辺回路（選択ドライバ、電源ドライバ）の一例を示す概略構成図である。ここで、上述した実施形態に示した表示駆動装置及び表示画素（発光駆動回路）と同等の構成については、同一又は同等の符号を付して、上述した図面を参照しながら説明する。
【０１２４】
図１５、図１６に示すように、本実施形態に係る表示装置２００は、概略、行方向に配設された複数の選択ライン（選択線）ＳＬと列方向に配設された複数のデータライン（データ線）ＤＬとの各交点近傍に、上述した実施形態と同等の回路構成を有する発光駆動回路ＤＣ及び有機ＥＬ素子（発光素子）ＯＥＬを備えた複数の表示画素ＰＸがｎ行×ｍ列（ｎ、ｍは、任意の正の整数）からなるマトリクス状に配列された表示パネル２１０と、該表示パネル２１０の選択ラインＳＬに接続され、各選択ラインＳＬごとに順次所定のタイミングで選択信号Ｓselを印加する選択ドライバ（選択駆動部）２２０と、選択ラインＳＬの各々に並行して行方向に配設された供給電圧ラインＶＬに接続され、各供給電圧ラインＶＬごとに順次所定のタイミングで所定の電圧レベルの供給電圧Ｖscを印加する電源ドライバ（電源駆動部）２３０と、表示パネル２１０のデータラインＤＬに接続され、上述したしきい値電圧検出期間Ｔdecに、各データラインＤＬを介して各列の表示画素ＰＸ（発光駆動回路ＤＣ）に設けられた発光駆動用のスイッチング素子（薄膜トランジスタ）の当該時点のしきい値電圧を検出するとともに、表示駆動期間Ｔcycに、各データラインＤＬを介して各列の表示画素ＰＸに、当該表示画素ＰＸのスイッチング素子に固有のしきい値電圧に対応したプリチャージ電圧Ｖpreを印加した後、各表示データに応じた階調信号（階調電流Ｉdata、又は、無発光表示電圧Ｖzero）を供給するデータドライバ（データ駆動部）２４０と、後述する表示信号生成回路２６０から供給されるタイミング信号に基づいて、少なくとも上記選択ドライバ２２０及び電源ドライバ２３０、データドライバ２４０の動作状態を制御する選択制御信号及び電源制御信号、データ制御信号を生成して出力するシステムコントローラ２５０と、例えば、表示装置２００の外部から供給される映像信号に基づいて、デジタル信号からなる表示データ（輝度階調データ）を生成してデータドライバ２４０に供給するとともに、該表示データに基づいて表示パネル２１０に所定の画像情報を表示するためのタイミング信号（システムクロック等）を抽出、又は、生成して上記システムコントローラ２５０に供給する表示信号生成回路２６０と、を備えて構成されている。
【０１２５】
以下、上記各構成について具体的に説明する。
（表示パネル）
図１６に示した表示パネル２１０に配列された各表示画素ＰＸは、上述した実施形態（図１参照）に示した表示画素と同様に、選択ドライバ２２０から選択ラインＳＬを介して印加される選択信号Ｓsel、及び、電源ドライバ２３０から供給電圧ラインＶＬを介して印加される供給電圧Ｖsc、データドライバ２４０からデータラインＤＬを介して供給される階調信号（階調電流Ｉdata、又は、無発光表示電圧Ｖzero）に基づいて、表示データに応じた発光駆動電流Ｉemを生成する発光駆動回路ＤＣと、該発光駆動回路ＤＣから供給される発光駆動電流Ｉemの電流値に応じて所定の輝度階調で発光動作する有機ＥＬ素子（発光素子）ＯＥＬと、を有して構成されている。なお、本実施形態においては、上述した実施形態（図１参照）と同様に、発光素子として有機ＥＬ素子ＯＥＬを適用した場合について示すが、発光駆動電流の電流値に応じて所定の輝度階調で発光動作を行う電流制御型の発光素子であれば、他の発光素子であってもよい。
【０１２６】
（選択ドライバ）
選択ドライバ２２０は、システムコントローラ２５０から供給される選択制御信号に基づいて、各選択ラインＳＬにオンレベル（上述した表示画素においては、ハイレベル）の選択信号Ｓselを印加することにより、各行ごとの表示画素ＰＸを選択状態に設定する。具体的には、各行の表示画素ＰＸについて、しきい値電圧検出動作、及び、発光動作を除く表示駆動動作（プリチャージ動作及び書込動作）を実行する期間中、選択信号Ｓselを当該行の選択ラインＳＬに印加する動作を、所定のタイミングで各行ごとに順次実行することにより、各行ごとの表示画素ＰＸを順次選択状態に設定する。
【０１２７】
ここで、選択ドライバ２２０は、例えば、図１６に示すように、後述するシステムコントローラ２５０から選択制御信号として供給される選択クロック信号ＳＣＫ及び選択スタート信号ＳＳＴに基づいて、各行の選択ラインＳＬに対応するシフト信号を順次出力する周知のシフトレジスタ２２１と、該シフトレジスタ２２１から出力されるシフト信号を所定の信号レベル（オンレベル）に変換して、システムコントローラ２５０から選択制御信号として供給される出力制御信号ＳＯＥに基づいて、各選択ラインＳＬに選択信号Ｓselとして出力する出力回路部（出力バッファ）２２２と、を備えた構成を有している。
【０１２８】
（電源ドライバ）
電源ドライバ２３０は、システムコントローラ２５０から供給される電源制御信号に基づいて、各行の表示画素ＰＸについて、発光動作期間中のみ高電位の供給電圧Ｖsc（＝Ｖｅ）を当該行の供給電圧ラインＶＬに印加し、発光動作期間以外の動作期間（しきい値電圧検出期間Ｔdec、及び、表示駆動期間Ｔcycにおけるプリチャージ期間Ｔth及び書込動作期間Ｔwrt）中、低電位の供給電圧Ｖsc（＝Ｖｓ）を印加する。
【０１２９】
ここで、電源ドライバ２３０は、例えば、図１６に示すように、上述した選択ドライバ２２０と同様に、システムコントローラ２５０から電源制御信号として供給されるクロック信号ＶＣＫ及びスタート信号ＶＳＴに基づいて、各行の供給電圧ラインＶＬに対応するシフト信号を順次出力する周知のシフトレジスタ２３１と、シフト信号を所定の電圧レベル（電圧値Ｖｅ、Ｖｓ）に変換して、電源制御信号として供給される出力制御信号ＶＯＥに基づいて、各供給電圧ラインＶＬに供給電圧Ｖscとして出力する出力回路部２３２と、を備えた構成を有している。
【０１３０】
（データドライバ）
データドライバ２４０は、上述した実施形態に示した表示駆動装置１００と同様に、少なくとも、図１に示したシフトレジスタ・データレジスタ部１１０と、表示データラッチ部１２０と、階調信号生成部１３０と、検出電圧ＡＤＣ１４０と、補償電圧ＤＡＣ１５０と、しきい値データラッチ部１６０と、フレームメモリ１７０と、データライン入出力切換部１８０と、を備えた構成を有している。
【０１３１】
なお、図１においては、単一の表示画素ＰＸに対応する構成を示したが、本実施形態に係るデータドライバ２４０においては、表示パネル２１０の列方向に配列される各データラインＤＬごとに、上記データライン入出力切換部１８０が設けられ、当該データライン入出力切換部１８０を構成する電圧検出側スイッチ１８１、入力選択スイッチ１８２及び書込側スイッチ１８３を上述した駆動制御方法に基づいて切り換え制御することにより、各行の表示画素ＰＸに対して、同時並行して、もしくは、各列ごとに順次、検出用電圧Ｖpv、プリチャージ電圧Ｖpre、階調信号（階調電流Ｉdata、無発光表示電圧Ｖzero）のいずれかを印加する動作、もしくは、検出電圧Ｖdecを測定する動作が選択的に実行される。
【０１３２】
すなわち、本実施形態に係るデータドライバ（表示駆動装置）２４０に設けられるシフトレジスタ・データレジスタ部１１０は、システムコントローラ２５０から供給されるデータ制御信号（シフトクロック信号、サンプリングスタート信号）に基づいて、１行分の各列の表示画素ＰＸ（又は、各列のデータラインＤＬ）に対応して生成されるシフト信号の出力タイミングに基づいて、表示信号生成回路２６０から供給される１行分の表示データを順次取り込む。
表示データラッチ部１２０は、データ制御信号（データラッチ信号）に基づいて、上記シフトレジスタ・データレジスタ部１１０により取り込まれた１行分の表示データが転送されて、各列の表示画素ＰＸごとに保持される。
【０１３３】
階調信号生成部１３０は、上記表示データラッチ部１２０に保持された各表示データに基づいて、当該表示データに応じた電流値を有する階調電流Ｉdata、又は、所定の電圧値を有する無発光表示電圧Ｖzeroを生成して、階調信号として各データラインＤＬに同時並行（一括）して、又は、順次印加する。
【０１３４】
具体的には、上記表示データが有機ＥＬ素子（発光素子）ＯＥＬの発光動作を伴う通常の階調表示を行うための階調表示データの場合には、例えば、階調基準電圧に基づいて所定の電圧値を有するアナログ信号電圧に変換し（デジタル−アナログ変換処理）、さらに、当該表示データに対応する電流値を有する階調電流Ｉdataを生成して（電圧−電流変換処理）、所定のタイミングで各列のデータラインＤＬに出力し、一方、上記表示データが有機ＥＬ素子（発光素子）ＯＥＬの発光動作を伴わない無発光表示データの場合には、所定の無発光表示電圧Ｖzeroを所定のタイミングで当該列のデータラインＤＬに出力する。
【０１３５】
なお、無発光表示電圧Ｖzeroは、上述した駆動制御方法（無発光表示動作）に示したように、プリチャージ動作により、表示画素ＰＸを構成する発光駆動回路ＤＣに設けられた発光駆動用のスイッチング素子（薄膜トランジスタＴｒ１３）のゲート−ソース間（コンデンサＣｓ）に蓄積された電荷を放電して、ゲート−ソース間電圧Ｖgs（コンデンサＣｓの両端電位Ｖｃ）を０Ｖに設定する（又は、０Ｖに近似させる）ために必要な任意の電圧値に設定されている。ここで、無発光表示電圧Ｖzero、及び、階調電流Ｉdataを生成するための階調基準電圧は、例えば、図示を省略した電源供給手段等から供給される。
【０１３６】
検出電圧ＡＤＣ１４０は、表示パネル２１０における画像情報の表示動作（表示画素ＰＸの表示駆動動作）に先立つしきい値電圧検出動作において、選択状態に設定された行の各列の表示画素ＰＸ（発光駆動回路ＤＣ）に設けられた発光駆動用のスイッチング素子（薄膜トランジスタＴｒ１３）の、当該しきい値電圧検出動作の実行時点のしきい値電圧（又は、当該しきい値電圧に対応する電圧成分）を、各データラインＤＬを介して検出電圧Ｖdecとして同時並行して、もしくは、順次測定し、デジタル信号電圧からなるしきい値検出データに変換して、しきい値データラッチ部１６０に出力する。
【０１３７】
補償電圧ＤＡＣ１５０は、表示パネル２１０における画像情報の表示動作（表示画素ＰＸの表示駆動動作）に先立つしきい値電圧検出動作において、選択状態に設定された行の各列の表示画素ＰＸ（発光駆動回路ＤＣに設けられた発光駆動用のスイッチング素子）に、所定の検出用電圧Ｖpvを各データラインＤＬを介して同時並行して、もしくは、順次出力する。
【０１３８】
また、補償電圧ＤＡＣ１５０は、表示パネル２１０における画像情報の表示動作（表示画素ＰＸの表示駆動動作）において、選択状態に設定された行の各列の表示画素ＰＸに設けられた上記スイッチング素子に固有のしきい値電圧を補償するためのしきい値補償データに基づいてプリチャージ電圧Ｖpreを生成し、各データラインＤＬを介して同時並行して、もしくは、順次各列の表示画素ＰＸに出力する。
【０１３９】
しきい値データラッチ部１６０は、表示パネル２１０における画像情報の表示動作（表示画素ＰＸの表示駆動動作）に先立つしきい値電圧検出動作において、選択状態に設定された行の各列の表示画素ＰＸごとに、上記検出電圧ＡＤＣ１４０により変換、生成されたしきい値検出データを取り込んで保持した後、シフトレジスタ・データレジスタ部１１０により当該１行分のしきい値検出データが取り出されて、フレームメモリ１７０に順次転送される。
【０１４０】
また、しきい値データラッチ部１６０は、表示パネル２１０における画像情報の表示動作（表示画素ＰＸの表示駆動動作）において、シフトレジスタ・データレジスタ部１１０によりフレームメモリ１７０から順次取り出された、選択状態に設定された行の各列の表示画素ＰＸごとのしきい値検出データに応じたしきい値補償データを取り込んで保持し、各列ごとに補償電圧ＤＡＣ１５０に転送する。
【０１４１】
（システムコントローラ）
システムコントローラ２５０は、選択ドライバ２２０及び電源ドライバ２３０、データドライバ２４０の各々に対して、動作状態を制御する選択制御信号及び電源制御信号、データ制御信号を生成して出力することにより、各ドライバを所定のタイミングで動作させて、所定の電圧レベルを有する選択信号Ｓsel及び供給電圧Ｖsc、階調信号（階調電流Ｉdata、無発光表示電圧Ｖzero）、を生成して出力させ、各表示画素ＰＸ（発光駆動回路ＤＣ）におけるしきい値電圧検出動作（電圧印加動作、電圧収束動作、電圧読取動作）、及び、表示駆動動作（プリチャージ動作、書込動作、発光動作）を実行させて、映像信号に基づく所定の画像情報を表示パネル２１０に表示させる制御を行う。
【０１４２】
（表示信号生成回路）
表示信号生成回路２６０は、例えば、表示装置２００の外部から供給される映像信号から輝度階調信号成分を抽出し、表示パネル２１０の１行分ごとに、該輝度階調信号成分をデジタル信号からなる表示データ（輝度階調データ）としてデータドライバ２４０のシフトレジスタ・データレジスタ部に供給する。ここで、上記映像信号が、テレビ放送信号（コンポジット映像信号）のように、画像情報の表示タイミングを規定するタイミング信号成分を含む場合には、表示信号生成回路２６０は、上記輝度階調信号成分を抽出する機能のほかに、タイミング信号成分を抽出してシステムコントローラ２５０に供給する機能を有するものであってもよい。この場合においては、上記システムコントローラ２５０は、表示信号生成回路２６０から供給されるタイミング信号に基づいて、選択ドライバ２２０や電源ドライバ２３０、データドライバ２４０に対して個別に供給する各制御信号を生成する。
【０１４３】
なお、本実施形態に係る表示装置においては、表示パネル２１０の周辺に、選択ラインＳＬに接続された選択ドライバ２２０、及び、供給電圧ラインＶＬに接続された電源ドライバ２３０を個別に設けた構成を示したが、上述した表示駆動装置（データドライバ２４０に相当する）の駆動制御方法（図７、図１２参照）において説明したように、特定の行の表示画素ＰＸについて、（選択ドライバ２２０から）選択ラインＳＬに印加される選択信号Ｓselと、（電源ドライバ２３０から）供給電圧ラインＶＬに印加される供給電圧Ｖscとは、相互に信号レベルが反転関係になるように設定されるので、表示パネル２１０に配列された各表示画素ＰＸを行単位で独立して表示駆動動作（特に、発光動作）を行う場合（具体的には、後述する表示装置２００の駆動制御方法の第１の例の場合）には、選択ドライバ２２０により生成される選択信号Ｓselの信号レベルを反転し（レベル反転処理）、さらに、所定の電圧レベルを有するようにレベル変換して（レベル変換処理）、当該行の供給電圧ラインＶＬに印加するように構成することにより、電源ドライバ２３０をなくした構成を適用することができる。
【０１４４】
＜表示装置の駆動制御方法＞
次いで、本実施形態に係る表示装置における駆動制御方法（駆動制御動作）について説明する。
図１７は、本実施形態に係る表示装置の駆動制御方法の第１の例を模式的に示したタイミングチャ−トである。ここで、上述した実施形態に示した表示駆動装置及び表示画素（発光駆動回路）における場合と同等の駆動制御方法（図２、図７参照）については、その説明を簡略化する。なお、本実施形態においては、説明の都合上、便宜的に表示パネルに１２行（第１行〜第１２行）の表示画素が配列された構成を有しているものとして説明する。
【０１４５】
本実施形態に係る表示装置２００の駆動制御動作の第１の例は、概略、図１７に示すように、まず、表示パネル２１０に画像情報を表示するための表示駆動動作（表示駆動期間）に先立って、表示パネル２１０に配列された全ての表示画素ＰＸついて、各表示画素ＰＸに設けられた発光駆動回路ＤＣにおいて有機ＥＬ素子（発光素子）ＯＥＬの発光状態を制御する発光駆動用のスイッチング素子（薄膜トランジスタ）のしきい値電圧（又は、当該しきい値電圧に対応する電圧成分）を検出するしきい値電圧検出動作（しきい値電圧検出期間Ｔdec）を実行し、その後、１フレーム期間Ｔfr（約１６．７ｍsec）内に、表示パネル２１０の各行ごとの表示画素ＰＸ（発光駆動回路ＤＣ）に、上記スイッチング素子のしきい値電圧相当の電圧成分を保持させた（しきい値電圧を補償した）後、表示データに応じた階調信号（階調電流Ｉdata、無発光表示電圧Ｖzero）を書き込み、各行の表示画素ＰＸ（有機ＥＬ素子ＯＥＬ）を上記表示データ（階調信号）に応じた輝度階調で発光動作させる表示駆動動作（表示駆動期間Ｔcyc）を、全行について順次繰り返し、表示パネル２１０一画面分の画像情報を表示する。
【０１４６】
ここで、しきい値電圧検出動作（しきい値電圧検出期間Ｔdec）は、上述した実施形態と同様に、表示パネル２１０の各行ごとの表示画素ＰＸ（発光駆動回路ＤＣ）に対して、所定の検出用電圧Ｖpvを印加する電圧印加動作（電圧印加期間Ｔpv）と、該検出用電圧Ｖpvに基づく電圧成分を各スイッチング素子（薄膜トランジスタＴｒ１３）の当該検出時点でのしきい値電圧に収束させる電圧収束動作（電圧収束期間Ｔcv）と、各表示画素ＰＸにおける電圧収束後のしきい値電圧Ｖth13を測定して（読み取り）、各表示画素ＰＸごとにしきい値検出データとして記憶する電圧読取動作（電圧読取期間）と、からなる一連の駆動制御を、各行ごとに所定のタイミングで順次実行する。
【０１４７】
ここで、図１７に示したタイミングチャートにおいて、しきい値電圧検出期間Ｔdecの各行の斜線で示したハッチング部分は、各々、上述した実施形態に示した電圧印加動作及び電圧収束動作、電圧読取動作からなる一連のしきい値電圧検出動作を表しており、各行ごとのしきい値電圧検出動作が時間的に重ならないように、タイミングをずらして順次実行される。
【０１４８】
また、表示駆動動作（表示駆動期間Ｔcyc）についても、上述した実施形態と同様に、１フレーム期間Ｔfr内に、表示パネル２１０の各行ごとの表示画素ＰＸ（発光駆動回路ＤＣ）に対して、上記しきい値電圧検出動作により各表示画素ＰＸ（発光駆動用のスイッチング素子）について検出され、記憶されたしきい値検出データ（しきい値補償データ）に基づいて、各表示画素ＰＸのしきい値電圧を補償するプリチャージ電圧Ｖpreを書き込むプリチャージ動作（プリチャージ期間Ｔth）と、表示データに応じた階調信号（階調電流Ｉdata、無発光表示電圧Ｖzero）を書き込む書込動作（書込動作期間Ｔwrt）と、所定のタイミングで上記表示データ（階調信号）に応じた輝度階調で各表示画素ＰＸ（有機ＥＬ素子ＯＥＬ）を発光させる発光動作（発光動作期間Ｔem）と、からなる一連の駆動制御を、各行ごとに所定のタイミングで順次実行する。
【０１４９】
ここで、図１７に示したタイミングチャートにおいて、表示駆動期間Ｔcycの各行のクロスメッシュで示したハッチング部分（「Ｔth＋Ｔwrt」と表記）は、各々、上述した実施形態に示したプリチャージ動作及び書込動作を表しており、特に、本実施形態においては、各行ごとのプリチャージ動作及び書込動作が時間的に重ならないように、タイミングをずらして順次実行され、書込動作が終了した行の表示画素ＰＸから順に発光動作が実行される。すなわち、各行の表示駆動動作のうち、発光動作のみが各行間で相互に時間的に重なるように（部分的に並行して）実行される。
【０１５０】
以下、本実施形態に係る表示駆動動作の第１の例について、さらに詳しく説明する。
図１７に示すように、表示駆動動作（表示駆動期間Ｔcyc）のプリチャージ期間Ｔth及び書込動作期間Ｔwrt（図中、クロスメッシュで表示）においては、選択ドライバ２２０から表示パネル２１０に特定の行（例えば、ｉ行目；１≦ｉ≦１２）の選択ラインＳＬに対して、図７、図１２に示したように、オンレベル（ハイレベル）の選択信号Ｓselを印加することにより、当該ｉ行の表示画素ＰＸを選択状態に設定する。また、当該プリチャージ期間Ｔth及び書込動作期間Ｔwrtにおいては、電源ドライバ２３０から当該ｉ行の供給電圧ラインＶＬに対して、低電位の供給電圧Ｖsc（＝Ｖｓ）が印加される。
【０１５１】
そして、このタイミング（以下、便宜的に「選択タイミング」と記す）に同期して、まず、プリチャージ期間Ｔthにおいては、データドライバ２４０に設けられた補償電圧ＤＡＣ１５０から各データラインＤＬに対して、各表示画素ＰＸ（発光駆動回路ＤＣ）に設けられたスイッチング素子（薄膜トランジスタ）のしきい値電圧を補償するための個別のプリチャージ電圧Ｖpreを印加することにより、当該ｉ行の各表示画素ＰＸのスイッチング素子の制御端子（具体的には、薄膜トランジスタＴｒ１３のゲート−ソース端子間；コンデンサＣｓの両端）に、当該スイッチング素子（薄膜トランジスタＴｒ１３）に固有のしきい値電圧相当の電圧成分が保持（電荷が蓄積）される。
【０１５２】
次いで、上記選択タイミングに同期して、書込動作期間Ｔwrtにおいては、データドライバ２４０に設けられた階調信号生成部１３０から各列のデータラインＤＬに対して、各表示画素ＰＸ（発光駆動回路ＤＣ）の表示データに応じた階調信号（階調電流Ｉdata、もしくは、無発光表示電圧Ｖzero）を個別に印加することにより、当該ｉ行の各列の表示画素ＰＸのスイッチング素子の制御端子（具体的には、薄膜トランジスタＴｒ１３のゲート−ソース端子間；コンデンサＣｓの両端）に、階調信号（表示データ）に応じた電圧成分が保持（電荷が蓄積、又は、放電）される。
【０１５３】
ここで、上述した駆動制御方法と同様に、表示信号生成回路２６０からデータドライバ２４０に供給される表示データが、有機ＥＬ素子（発光素子）ＯＥＬの発光動作を伴う階調表示データ（０ビット以外の階調値；階調表示動作）の場合には、データドライバ２４０（階調信号生成部１３０）により当該表示データに応じた階調電流Ｉdataが生成されて、対応する列の表示画素ＰＸに供給され、一方、上記表示データが、有機ＥＬ素子（発光素子）ＯＥＬの発光動作を伴わない無発光表示データ（０ビットの階調値；無発光表示動作））の場合には、データドライバ２４０により所定の無発光表示電圧Ｖzeroが生成されて、対応する列の表示画素ＰＸに供給される。
【０１５４】
したがって、階調信号として階調電流Ｉdataが供給された表示画素ＰＸにおいては、上述したプリチャージ動作により、当該行の各表示画素ＰＸ（発光駆動用の薄膜トランジスタのゲート−ソース間）に充電されたしきい値電圧（Ｖth13）相当の電圧成分に上乗せして、階調電流Ｉdataに基づく電圧成分（実効電圧Ｖdata）が充電されることになる。
【０１５５】
また、階調信号として無発光表示電圧Ｖzeroが供給された表示画素ＰＸにおいては、上述したプリチャージ動作により、当該行の各表示画素ＰＸに充電されたしきい値電圧（Ｖth13）相当の電圧成分（電荷）がほとんど全て放電されて、結果的に表示データに対応した電圧（０Ｖ）が発光駆動用のスイッチング素子（薄膜トランジスタのゲート−ソース間）に設定されることになる。
【０１５６】
次いで、図１７に示すように、表示駆動動作（表示駆動期間Ｔcyc）の発光動作期間Ｔem（図中、ドットハッチングで表示）においては、図７、図１２に示したように、選択ドライバ２２０から当該ｉ行の選択ラインＳＬに対して、オフレベル（ローレベル）の選択信号Ｓselを印加することにより、当該ｉ行の各表示画素ＰＸを非選択状態に設定する。また、データドライバ２４０に設けられた階調信号生成部１３０から各データラインＤＬへの階調信号の印加が遮断される。
【０１５７】
そして、このタイミングに同期して、電源ドライバ２３０から当該ｉ行の供給電圧ラインＶＬに対して、高電位の供給電圧Ｖsc（＝Ｖｅ）が印加されることにより、当該ｉ行の各表示画素ＰＸ（発光駆動用の薄膜トランジスタのゲート−ソース間）に充電された電圧成分に基づいて、表示データ（階調信号）に応じた発光駆動電流Ｉemが有機ＥＬ素子ＯＥＬに供給され、所定の輝度階調で発光動作、又は、無発光動作が行われる。
【０１５８】
ここで、各表示画素ＰＸに書き込まれた階調信号が、有機ＥＬ素子ＯＥＬの発光動作を伴う階調表示データ（０ビット以外の階調値）に基づく場合には、有機ＥＬ素子ＯＥＬに当該階調電流Ｉdataと同等の発光駆動電流Ｉemが供給されて、表示データに対応した所定の輝度階調で有機ＥＬ素子ＯＥＬが発光動作（階調表示動作）し、一方、上記階調信号が、有機ＥＬ素子ＯＥＬの発光動作を伴わない無発光表示データ（０ビットの階調値）に基づく場合には、有機ＥＬ素子ＯＥＬには発光駆動電流Ｉemが供給されず、発光動作が行われない（無発光表示動作；黒表示動作）。
【０１５９】
このような発光動作（又は、無発光動作）は、当該ｉ行の表示画素ＰＸにおいて、上記プリチャージ動作及び書込動作の終了タイミングに同期して（終了直後から）開始され、当該ｉ行について次のプリチャージ動作及び書込動作の開始タイミング（開始直前）まで、例えば、１フレーム期間Ｔfr継続して実行される。
【０１６０】
また、当該ｉ行の表示画素ＰＸについての上記プリチャージ動作及び書込動作の終了タイミングに同期して（終了直後から）、隣接する（ｉ＋１）行目の表示画素ＰＸについて、上記と同様のプリチャージ動作及び書込動作が開始され、当該プリチャージ動作及び書込動作の終了タイミングに同期して（終了直後から）、当該（ｉ＋１）行についての発光動作が開始される。
【０１６１】
これにより、図１７に示したように、１フレーム期間Ｔfr内に、表示パネル２１０の各行ごとの表示画素ＰＸ（発光駆動回路ＤＣ）に対して、プリチャージ動作及び書込動作により各表示画素ＰＸに表示データ（階調信号）に応じた適切な電圧成分を充電させる動作を、各行間で相互に時間的に重ならないように、タイミングをずらして順次実行し、かつ、プリチャージ動作及び書込動作が終了した行の表示画素ＰＸから順に所定の輝度階調で発光動作（又は、無発光動作）を、各行間で相互に一部時間的に重なるように実行する駆動制御動作が実現される。
【０１６２】
このように、本実施形態に係る表示装置及びその駆動制御方法によれば、上述した電流指定階調方式の駆動制御方法に対応した表示駆動装置及び表示画素を、各々データドライバ及び表示パネルに適用した構成を有していることにより、通常の階調表示動作時（無発光表示動作時以外）においては、表示データに応じた階調電流の電流値に基づいて、発光素子（有機ＥＬ素子）に供給する発光駆動電流を制御することができるとともに、各表示画素に設けられた単一のスイッチング素子（発光駆動用の薄膜トランジスタ）により、上記階調電流の電流レベルを電圧レベルに変換し、該電圧レベルに基づいて発光駆動電流の電流値を設定することができるので、各表示画素（発光駆動回路）に設けられた発光駆動用のスイッチング素子（薄膜トランジスタ）の素子特性（しきい値電圧）のバラツキや経時変化の影響を受けることなく、長期間にわたり安定的に所望の発光特性を実現することができる。
【０１６３】
また、本実施形態に係る表示装置及びその駆動制御方法によれば、各表示画素への表示データ（階調信号）の書込動作、及び、発光素子（有機ＥＬ素子）の発光動作に先立って、まず、表示パネルに配列された全ての表示画素について、当該表示画素（発光駆動回路）に設けられた発光駆動用のスイッチング素子（薄膜トランジスタ）のしきい値電圧を検出して記憶し（しきい値電圧検出動作）、その後、各表示画素への表示データの書込動作の直前に、当該表示画素に設けられた発光駆動用のスイッチング素子（薄膜トランジスタ）に上記検出されたしきい値電圧に応じたプリチャージ電圧を印加する（プリチャージ動作）ことにより、各表示画素の発光駆動用のスイッチング素子の制御端子（薄膜トランジスタのゲート−ソース間）に、当該スイッチング素子に固有のしきい値電圧に相当する電圧成分（電荷）を保持した状態（Ｖthシフトにより変動したしきい値電圧を個別に補償した状態）に設定することができるので、表示データの書込動作において、当該表示データに応じた電圧成分のみを上乗せして充電すればよく、表示データに基づく電圧成分を迅速かつ適切に書き込むことができる。
【０１６４】
したがって、電流階調指定方式の駆動制御方法において、表示データに応じた階調電流が非常に小さくなる低輝度階調での表示動作の際においても、当該表示データに応じた電圧成分を迅速かつ適切に書き込むことができるので、各表示画素における書込不足の発生を抑制することができ、また、各表示画素に設けられた発光駆動用のスイッチング素子（薄膜トランジスタ）のＶthシフトの影響を受けることがないので、映像信号に応じた適切な輝度階調で所望の画像情報を、長期間にわたり良好に表示することができる。
【０１６５】
また、無発光表示時においては、表示データ（０ビットの階調値）に応じた所定の無発光表示電圧を各表示画素に供給することにより、発光駆動用のスイッチング素子（薄膜トランジスタのゲート−ソース間）に保持された電圧成分のほとんど全てを迅速に放電することができるので、発光素子（有機ＥＬ素子）への発光駆動電流の供給を確実に遮断することができ、無発光表示動作を安定的に実現することができる。
【０１６６】
さらに、本実施形態に係る表示装置及びその駆動制御方法によれば、表示パネルの各行において、１フレーム期間のうち、プリチャージ期間及び書込動作期間以外の期間では、次のプリチャージ期間及び書込動作期間の開始タイミングまで、発光動作が継続するように駆動制御されるので、各表示画素（発光素子）の発光時間を十分長く設定することができ、画像情報を高い発光輝度で表示することができる。これは換言すると、各表示画素の発光輝度を低減した場合であっても十分な輝度で画像情報を表示できることを意味しており、したがって、画像情報の表示に係る消費電力を削減することができる。
【０１６７】
次に、本実施形態に係る表示装置に適用可能な駆動制御方法の第２の例について、図面を参照して説明する。
図１８は、本実施形態に係る表示装置の駆動制御方法の第２の例を模式的に示したタイミングチャ−トである。ここで、上述した第１の例（図１７参照）と同等の駆動制御方法については、その説明を簡略化する。また、図中のハッチング部については上述した第１の例と同等の動作状態を示す。また、図１９は、本実施形態に係る表示装置の駆動制御方法の第２の例を実現するための表示装置の一例を示す要部構成図である。ここで、上述した実施形態に示した表示装置と同等の構成については、同等の符号を付して説明する。
【０１６８】
本実施形態に係る表示装置２００の駆動制御動作の第２の例は、図１８に示すように、まず、上述した第１の例と同様に、表示パネル２１０に配列された全ての表示画素ＰＸついて、しきい値電圧検出動作を各行ごとに所定のタイミングで順次実行し、その後、１フレーム期間Ｔfr（約１６．７ｍsec）内に、表示パネル２１０の各行ごとの表示画素ＰＸ（発光駆動回路ＤＣ）に対して、上記しきい値電圧を補償した後、表示データに応じた階調信号（階調電流Ｉdata、無発光表示電圧Ｖzero）を書き込む動作（図中、「Ｔth＋Ｔwrt」）を、全行について順次繰り返し、所定のタイミングで、予めグループ分けした複数行の表示画素ＰＸ（有機ＥＬ素子ＯＥＬ）を上記表示データ（階調信号）に応じた輝度階調で一斉に発光動作させる表示駆動動作（表示駆動期間Ｔcyc）を実行することにより、表示パネル２１０一画面分の画像情報が表示される。
【０１６９】
ここで、本実施形態に係る表示駆動動作の第２の例は、具体的には、まず、表示パネル２１０に配列された全ての表示画素ＰＸを複数行ごとに予めグループ分けする。例えば、図１８に示すように、表示パネル２１０を構成する１２行の表示画素ＰＸを、相互に隣接する１〜４行目、５〜８行目、９〜１２行目のように、４行分の表示画素ＰＸを一組としてグループ分けする。
【０１７０】
そして、１フレーム期間Ｔfr内に、表示パネル２１０の各行ごとの表示画素ＰＸ（発光駆動回路ＤＣ）に対して、上記プリチャージ動作及び書込動作をタイミングをずらして順次実行する。次いで、上記各グループにおいて、当該グループに含まれる全ての行の表示画素ＰＸへの書込動作が終了したグループについて、発光動作が実行される。
【０１７１】
例えば、１〜４行目の表示画素ＰＸを一組とするグループにおいては、１行目の表示画素ＰＸから順に、上記プリチャージ動作及び書込動作が実行され、４行目の表示画素ＰＸについて書込動作が終了したタイミングで、各表示画素ＰＸに書き込まれた表示データ（階調信号）に基づいて、当該グループの４行分の表示画素ＰＸが一斉に発光動作する。この発光動作は、１行目の表示画素ＰＸに対して、次のプリチャージ動作及び書込動作が開始されるタイミングまで継続される。
【０１７２】
また、上記４行目の表示画素ＰＸについて書込動作が終了したタイミングで、５〜８行目の表示画素ＰＸを一組とするグループにおいて、５行目の表示画素ＰＸから順に、上記プリチャージ動作及び書込動作が実行される。以下、同様の動作が次のグループの１２行目の表示画素ＰＸについて書込動作が終了するまで繰り返し実行される。
【０１７３】
このように、プリチャージ動作及び書込動作を各行ごとに所定のタイミングで順次実行し、予め設定された各グループについて、当該グループに含まれる全ての行の表示画素ＰＸに書込動作が終了した時点で、当該グループの全ての表示画素ＰＸを一斉に発光動作させるように駆動制御される。したがって、第２の例に係る表示駆動動作においては、同一グループの他の行の表示画素ＰＸに対して、プリチャージ動作及び書込動作が実行されている期間中は、当該グループ内の全ての表示画素が無発光動作して無発光表示状態（黒表示状態）に設定されるように制御される。
【０１７４】
このような表示駆動動作は、例えば、図７、図１２に示したように、プリチャージ動作及び書込動作の際に、電源ドライバ２３０により当該行の供給電圧ラインＶＬに対して印加されていた低電位の供給電圧Ｖsc（＝Ｖｓ）を、同一グループに含まれる行の表示画素ＰＸに対するプリチャージ動作及び書込動作が実行されている期間中、継続して印加し、当該グループに含まれる全ての行に対するプリチャージ動作及び書込動作が終了した後に、当該グループの全ての行の供給電圧ラインＶＬに対して高電位の供給電圧Ｖsc（＝Ｖｅ）を印加するように制御することにより実現することができる。
【０１７５】
また、同様の駆動制御は、各グループごとに単一の供給電圧Ｖscが同時に印加されるように、例えば、図１９に示すように、単一の供給電圧ラインＶＬを分岐させて、１〜４行目（又は、５〜８行目、９〜１２行目）の表示画素ＰＸに共有して接続された構成を適用し、電源ドライバ２３０から印加される単一の供給電圧Ｖscが同一グループに含まれる全ての行の表示画素ＰＸに印加されるようにすることによっても実現することができる。なお、本実施形態においても、図１６に示した場合と同様に、表示パネル２１０の各行ごとに個別の選択ラインＳＬが配設され、選択ドライバ２２０から個別の選択信号Ｓselが異なるタイミングで印加される。
【０１７６】
したがって、このような表示装置の駆動制御方法（表示駆動動作）によれば、上述した第１の例に係る駆動制御方法と同様の作用効果を得ることができるとともに、同一グループ内の各行の表示画素にプリチャージ動作及び書込動作を実行する期間中、表示画素（発光素子）の発光動作が行われず、無発光動作（黒表示動作）が行われるので、複数の画像情報（静止画像）の連続的な表示による動画像の表示動作に際して、当該動画像のちらつきを抑制し、鮮明さを向上させることができる。
【０１７７】
ここで、図１８に示したタイミングチャートにおいては、表示パネル２１０を構成する１２行の表示画素ＰＸを、３組にグループ分けして、各グループごとに異なるタイミングで一斉に発光動作を実行するように制御されるので、１フレーム期間Ｔfrにおける上記無発光動作による黒表示期間の比率（黒挿入率）は概ね３３％となる。ここで、人間の視覚において、動画像をちらつきがなく鮮明に視認するためには、一般に、概ね３０％以上の黒挿入率を有していることが目安になるので、本駆動制御方法によれば、良好な表示画質を有する表示装置を実現することができる。
【０１７８】
次に、本実施形態に係る表示装置に適用可能な駆動制御方法の第３の例について、図面を参照して説明する。
図２０は、本実施形態に係る表示装置の駆動制御方法の第３の例を模式的に示したタイミングチャ−トである。ここで、上述した第２の例（図１８参照）と同等の駆動制御方法については、その説明を簡略化する。
【０１７９】
本実施形態に係る表示装置２００の駆動制御動作の第３の例は、図２０に示すように、上述した第２の例と同様に、表示駆動動作に先立って、表示パネル２１０に配列された全ての表示画素ＰＸついて、しきい値電圧検出動作を各行ごとに所定のタイミングで順次実行した後、１フレーム期間Ｔfr（約１６．７ｍsec）内に、表示パネル２１０に配列され、相互に隣接しない複数行の表示画素ＰＸを一組とした各グループにおいて、特定のグループに含まれる各行ごとの表示画素ＰＸに対して、上記プリチャージ動作及び書込動作をタイミングをずらして順次実行する表示駆動動作を、各グループについて順次実行する。
【０１８０】
ここで、本実施形態に係る表示駆動動作においては、具体的には、表示パネル２１０に配列された全ての表示画素ＰＸを、例えば、図２０に示すように、表示パネル２１０を構成する１２行の表示画素ＰＸを、１、４、７、１０行目、２、５、８、１１行目、３、６、９、１２行目のように、各々４行分の表示画素ＰＸを一組として３グループに分ける。
【０１８１】
例えば、１、４、７、１０行目の表示画素ＰＸを一組とするグループにおいて、１行目の表示画素ＰＸから順に、上記プリチャージ動作及び書込動作が実行され、１０行目の表示画素ＰＸについて書込動作が終了したタイミングで、各表示画素ＰＸに書き込まれた表示データ（階調信号）に基づいて、当該グループの４行分の表示画素ＰＸが一斉に発光動作する。この発光動作は、１行目の表示画素ＰＸに対して、次のプリチャージ動作及び書込動作が開始されるタイミングまで継続される。
【０１８２】
また、上記１０行目の表示画素ＰＸについて書込動作が終了したタイミングで、２、５、８、１１行目の表示画素ＰＸを一組とするグループにおいて、２行目の表示画素ＰＸから順に、上記プリチャージ動作及び書込動作が実行される。以下、同様の動作が次のグループの１２行目の表示画素ＰＸについて書込動作が終了するまで繰り返し実行される。
【０１８３】
このように、各グループの各行ごとに、プリチャージ動作及び書込動作を所定のタイミングで順次実行し、当該グループに含まれる全ての行の表示画素ＰＸに書込動作が終了した時点で、当該グループの全ての表示画素ＰＸを一斉に発光動作させるように駆動制御される。したがって、第３の例に係る表示駆動動作においても、上述した第２の例と同様に、同一グループの他の行の表示画素ＰＸに対して、プリチャージ動作及び書込動作が実行されている期間中は、当該グループ内の全ての表示画素が無発光表示動作（黒表示動作）するように制御される。
【０１８４】
また、このような表示駆動動作は、上述した第２の例と同様に、例えば、同一グループの他の行の表示画素ＰＸに対して、プリチャージ動作及び書込動作が実行されている期間中、電源ドライバ２３０から当該グループの各行の供給電圧ラインＶＬに印加される供給電圧Ｖscを低電位（Ｖｓ）の状態に保持し、同一グループの全ての行の表示画素ＰＸに対するプリチャージ動作及び書込動作が終了した後、当該グループに含まれる全ての行の供給電圧ラインＶＬに高電位の供給電圧Ｖsc（＝Ｖｅ）を印加するように制御することにより実現することができる。なお、上述した第２の例（図１９参照）と同様に、各グループに含まれる全ての行の表示画素ＰＸに対して、単一の供給電圧Ｖscが印加されるように、供給電圧ラインＶＬを分岐して配設するようにした構成を適用するものであってもよい。
【０１８５】
したがって、このような表示装置の駆動制御方法（表示駆動動作）によれば、上述した第２の例に係る駆動制御方法と同様に、表示パネル２１０を構成する１２行の表示画素ＰＸを、複数組にグループ分けして、各グループごとに異なるタイミングで一斉に発光動作を実行するように制御されるので、１フレーム期間Ｔfr中に所定の期間、無発光動作（黒表示動作）が実行される。特に、本駆動制御方法においては、当該無発光動作による黒表示期間の比率（黒挿入率）を概ね３３％に設定することができるので、動画像のちらつきを抑制して鮮明さを向上させた表示装置を実現することができる。
【０１８６】
なお、上述した第２、第３の例に係る駆動制御方法においては、表示パネル２１０を構成する表示画素ＰＸを、３組にグループ分けした場合について説明したが、本発明はこれに限定されるものではなく、例えば、上記グループ数を適宜増減させて設定したものであってもよいことはいうまでもない。
【０１８７】
以下に、上述した第２、第３の例に係る駆動制御方法の変形例を示す。
図２１は、本実施形態に係る表示装置の駆動制御方法の第２の例の変形例（その１）を模式的に示したタイミングチャ−トであり、図２２は、本実施形態に係る表示装置の駆動制御方法の第３の例の変形例（その１）を模式的に示したタイミングチャ−トである。また、図２３は、本実施形態に係る表示装置の駆動制御方法の第２の例の変形例（その２）を模式的に示したタイミングチャ−トであり、図２４は、本実施形態に係る表示装置の駆動制御方法の第３の例の変形例（その２）を模式的に示したタイミングチャ−トである。
【０１８８】
上述した第２及び第３の例に係る表示装置の駆動制御方法の変形例（その１）においては、例えば、図２１、図２２に示すように、表示パネル２１０を構成する表示画素ＰＸを、４組にグループ分けして（図２１では１〜３行目、４〜６行目、７〜９行目、１０〜１２行目の４グループ、図２２では１、５、９行目、２、６、１０行目、３、７、１１行目、４、８、１２行目の４グループ）、各グループごとに異なるタイミングで一斉に発光動作を実行するように制御する。この場合、１フレーム期間Ｔfrにおける上記無発光動作による黒表示期間の比率（黒挿入率）は２５％となり、上述したような動画像のちらつきが視認されない目安である３０％をやや下回るものの、比較的良好な表示画質を有する表示装置を実現することができる。
【０１８９】
また、上述した第２及び第３の例に係る表示装置の駆動制御方法の変形例（その２）においては、例えば、図２３、図２４に示すように、表示パネル２１０を構成する表示画素ＰＸを、２組にグループ分けして（図２３では１〜６行目、７〜１２行目の２グループ、図２４では奇数行目、偶数行目の２グループ）、各グループごとに異なるタイミングで一斉に発光動作を実行するように制御する。この場合、１フレーム期間Ｔfrにおける上記無発光動作による黒表示期間の比率（黒挿入率）は５０％となり、上述したような動画像のちらつきが視認されない目安である３０％を上回るものの、発光動作期間が１フレーム期間Ｔfrの半分に過ぎなくなるため、画像情報を十分な発光輝度で表示することができなくなる。そこで、各表示画素の発光輝度を適宜増大させることにより、画像情報を十分な輝度で、かつ、良好な表示画質で表示することができる。
【０１９０】
次に、本実施形態に係る表示装置に適用可能な駆動制御方法の第４の例について、図面を参照して説明する。
図２５は、本実施形態に係る表示装置の駆動制御方法の第４の例を模式的に示したタイミングチャ−トである。ここで、上述した第１〜第３の例（図１７〜図２４参照）と同等の駆動制御方法については、その説明を簡略化する。また、図２６は、本実施形態に係る表示装置の駆動制御方法の第４の例を実現するための表示装置の一例を示す要部構成図である。ここで、上述した実施形態に示した表示装置と同等の構成については、同等の符号を付して説明する。
【０１９１】
本実施形態に係る表示装置２００の駆動制御動作の第４の例は、図２５に示すように、上述した第１〜第３の例と同様に、表示駆動動作に先立って、表示パネル２１０に配列された全ての表示画素ＰＸついて、しきい値電圧検出動作を各行ごとに所定のタイミングで順次実行した後、１フレーム期間Ｔfr（約１６．７ｍsec）の前半（１フレーム期間Ｔfrの１／２の期間）で、表示パネル２１０に配列された各行ごとの表示画素ＰＸに対して、上記プリチャージ動作及び書込動作をタイミングをずらして順次実行し、１フレーム期間Ｔfrの後半（１フレーム期間Ｔfrの１／２の期間）で、表示パネル２１０に配列された全ての行の表示画素ＰＸを、表示データに応じた輝度階調で一斉に発光動作させる表示駆動動作を実行する。
【０１９２】
このように、全ての行の表示画素ＰＸに書込動作が終了した時点で、全ての表示画素ＰＸを一斉に発光動作させるように駆動制御することにより、プリチャージ動作及び書込動作が実行されている期間中は、いずれの行の表示画素ＰＸにおいても発光動作が行われず、全ての表示画素ＰＸが無発光表示動作（黒表示動作）するように制御される。
【０１９３】
このような表示駆動動作は、例えば、各行の表示画素ＰＸに対して、プリチャージ動作及び書込動作が実行されている期間中、電源ドライバ２３０から全ての行の供給電圧ラインＶＬに印加される供給電圧Ｖscを低電位（Ｖｓ）の状態に保持し、全ての行の表示画素ＰＸに対するプリチャージ動作及び書込動作が終了した後、全ての行の供給電圧ラインＶＬに高電位の供給電圧Ｖsc（＝Ｖｅ）を印加するように制御することにより実現することができる。
【０１９４】
同様の駆動制御は、全ての表示画素ＰＸに対して単一の供給電圧Ｖscが同時に印加されるように、例えば、図２６に示すように、単一の供給電圧ラインＶＬを全ての行に対応させて分岐し、表示パネル２１０に配列された全ての表示画素ＰＸに共有して接続された構成を適用し、電源ドライバ２３０から印加される単一の供給電圧Ｖscが全ての行の表示画素ＰＸに印加されるようにすることによっても実現することができる。この場合の電源ドライバ２３０の構成は、高電位の供給電圧Ｖsc（＝Ｖｅ）と低電位の供給電圧Ｖsc（＝Ｖｓ）を、例えば、システムコントローラ２５０から供給される電源制御信号に基づく所定のタイミングで選択的に出力する機能を有していればよいので、少なくとも図１６に示したようなシフトレジスタ回路を備えていなくてもよい。なお、本実施形態においても、図１６に示した場合と同様に、表示パネル２１０の各行ごとに個別の選択ラインＳＬが配設され、選択ドライバ２２０から個別の選択信号Ｓselが異なるタイミングで印加される。
【０１９５】
したがって、このような表示装置の駆動制御方法（表示駆動動作）によれば、表示駆動期間（１フレーム期間Ｔfr）を、前半と後半に２分割して、前半で各行の表示画素に順次プリチャージ動作及び書込動作が実行され、後半で全ての表示画素が一斉に発光動作を実行するように制御されるので、１フレーム期間Ｔfrにおける上記無発光動作による黒表示期間の比率（黒挿入率）は５０％となり、上述したような動画像のちらつきが視認されない目安である３０％を上回るものの、発光動作期間が１フレーム期間Ｔfrの半分に過ぎないため、画像情報を十分な発光輝度で表示することができず、また、各行におけるプリチャージ期間及び書込動作期間（特に、書込動作期間）が短縮されるため、表示データ（階調信号）を十分書き込む時間が確保されなくなる可能性があるが、各表示画素の発光輝度を適宜増大させ、さらに、階調電流の電流値を増加させることにより、画像情報を十分な輝度で、かつ、良好な表示画質で表示することができる。
【符号の説明】
【０１９６】
ＰＸ      表示画素
ＤＣ      発光駆動回路
ＳＬ      選択ライン
ＤＬ      データライン
ＶＬ      供給電圧ライン
Ｔｒ１１〜Ｔｒ１３    薄膜トランジスタ
Ｃｓ      コンデンサ
ＯＥＬ    有機ＥＬ素子
１００    表示駆動装置
１１０    シフトレジスタ・データレジスタ部
１２０    表示データラッチ部
１３０    階調信号生成部
１４０    検出電圧ＡＤＣ
１５０    補償電圧ＤＡＣ
１６０    しきい値データラッチ部
１７０    フレームメモリ
１８０    データライン入出力切換部
２００    表示装置
２１０    表示パネル
２２０    選択ドライバ
２３０    電源ドライバ
２４０    データドライバ
２５０    システムコントローラ
２６０    表示信号生成回路
【図１】
2011123508.tif 000003
【図２】
2011123508.tif 000004
【図３】
2011123508.tif 000005
【図４】
2011123508.tif 000006
【図５】
2011123508.tif 000007
【図６】
2011123508.tif 000008
【図７】
2011123508.tif 000009
【図８】
2011123508.tif 000010
【図９】
2011123508.tif 000011
【図１０】
2011123508.tif 000012
【図１１】
2011123508.tif 000013
【図１２】
2011123508.tif 000014
【図１３】
2011123508.tif 000015
【図１４】
2011123508.tif 000016
【図１５】
2011123508.tif 000017
【図１６】
2011123508.tif 000018
【図１７】
2011123508.tif 000019
【図１８】
2011123508.tif 000020
【図１９】
2011123508.tif 000021
【図２０】
2011123508.tif 000022
【図２１】
2011123508.tif 000023
【図２２】
2011123508.tif 000024
【図２３】
2011123508.tif 000025
【図２４】
2011123508.tif 000026
【図２５】
2011123508.tif 000027
【図２６】
2011123508.tif 000028
【図２７】
2011123508.tif 000029
【図２８】
2011123508.tif 000030